(57)【要約】  リソースの割り当てメッセージは、第１フィールドと第２フィールドとを含むリソースの割り当てフィールドを含む。前記の第１フィールドは第１サブフィールドを含むか第１及び第２サブフィールドを含む。前記第１サブフィールドは２個以上の論理的なインデックスを示す第１の値を保有するように構成され、前記第２サブフィールドは第３の値を保有するように構成される。論理的なインデックスそれぞれはサブ帯域リソースユニットのペアと関連し、該ペアは第１サブ帯域リソースユニットを含むかまたは第１サブ帯域リソースユニット及び第２サブ帯域リソースユニットを含む。リソースの割り当てフィールドは独自にまたは第３の値と組み合わせて第１フィールドによって示されるそれぞれのサブ帯域リソースユニットのペアに対する第１サブ帯域リソースユニットまたは第２サブ帯域リソースユニットを示す第２の値を保有するように構成された第２フィールドを含む。
2013503546.tif 000002
【特許請求の範囲】
【請求項１】
基地局であって、
リソースの割り当てメッセージを含んでいるダウンリンクフレームを送信するように構成された送信経路回路を具備し、
前記リソースの割り当てメッセージは、リソースの割り当てフィールドを含み、
前記リソースの割り当てフィールドは、
第１フィールドと、
第２フィールドと、
を備え、
前記第１フィールドは、第１サブフィールドを含んでいるかまたは第１及び第２サブフィールドを含み、前記第１サブフィールドは、２個以上の論理的なインデックスを示す第１の値を保有するように構成され、前記２個以上の論理的なインデックスそれぞれは、サブ帯域リソースユニットのペアと関連しており、前記サブ帯域リソースユニットのペアは、第１サブ帯域リソースユニットを含んでいるかまたは第１サブ帯域リソースユニット及び第２サブ帯域リソースユニットを含み、前記第２サブフィールドは、第２の値を保有するように構成されており、
前記第２フィールドは、独自にまたは前記第１フィールドの前記第２サブフィールドによって保有された前記第２の値と組み合わせて前記第１フィールドによって示されるサブ帯域リソースユニットのペアそれぞれに対する第１サブ帯域リソースユニットまたは第２サブ帯域リソースユニットを示す第３の値を保有するように構成されることを特徴とする基地局。
【請求項２】
基地局でリソースの割り当てメッセージを送信する方法であって、前記方法は、
リソースの割り当てメッセージのリソースの割り当てフィールドを、第１サブフィールドで構成されるかまたは第１サブフィールド及び第２サブフィールドで構成される第１フィールドと第２フィールドに分割する段階と、
第１サブ帯域リソースユニットを含んでいるかまたは第１サブ帯域リソースユニット及び第２サブ帯域リソースユニットを含んでいるサブ帯域リソースユニットのペアとそれぞれ係わる２個以上のインデックスを第１の値に変換する段階と、
前記リソースの割り当てフィールドの中で前記第１フィールドの前記第１サブフィールド内の第１の値を識別する段階と、
前記第１フィールドの前記第１サブフィールドによって示されるサブ帯域リソースユニットのペアそれぞれに対する第１サブ帯域リソースユニットまたは第２サブ帯域リソースユニットを示す第２の値または第２の値及び第３の値を判定する段階と、
前記リソースの割り当てフィールドの中で前記第２フィールド内の第２の値及び前記リソースの割り当てフィールドの中で前記第１フィールドの前記第２サブフィールド内の第３の値を識別する段階と、
ダウンリンクフレーム内の前記リソースの割り当てメッセージを送信する段階と、
を具備していることを特徴とする基地局でリソースの割り当てメッセージを送信する方法。
【請求項３】
加入局であって、
リソースの割り当てメッセージを含んでいるダウンリンクフレームを受信するように構成された受信経路回路を具備し、
前記リソースの割り当てメッセージは、リソースの割り当てフィールドを含み、
前記リソースの割り当てフィールドは、
第１フィールドと、
第２フィールドと、
を備え、
前記第１フィールドは、第１サブフィールドを含んでいるかまたは第１及び第２サブフィールドを含み、前記第１サブフィールドは、２個以上の論理的なインデックスを示す第１の値を保有するように構成され、前記２個以上の論理的なインデックスそれぞれは、サブ帯域リソースユニットのペアと関連しており、前記サブ帯域リソースユニットのペアは、第１サブ帯域リソースユニットを含んでいるかまたは第１サブ帯域リソースユニット及び第２サブ帯域リソースユニットを含み、前記第２サブフィールドは、第２の値を保有するように構成されており、
前記第２フィールドは、独自にまたは前記第１フィールドの前記第２サブフィールドによって保有された前記第２の値と組み合わせて、前記第１フィールドによって示されるサブ帯域リソースユニットのペアそれぞれに対する第１サブ帯域リソースユニットまたは第２サブ帯域リソースユニットを示す第３の値を保有するように構成される加入局。
【請求項４】
リソースの割り当てメッセージを含んでいるダウンリンクフレームを受信する段階を具備し、
前記リソースの割り当てメッセージは、リソースの割り当てフィールドを含み、
前記リソースの割り当てフィールドは、
第１フィールドと、
第２フィールドと、
を備え、
前記第１フィールドは、第１サブフィールドを含んでいるかまたは第１及び第２サブフィールドを含み、前記第１サブフィールドは、２個以上の論理的なインデックスを示す第１の値を保有するように構成され、前記２個以上の論理的なインデックスそれぞれは、サブ帯域リソースユニットのペアと関連しており、前記サブ帯域リソースユニットのペアは、第１サブ帯域リソースユニットを含んでいるかまたは第１サブ帯域リソースユニット及び第２サブ帯域リソースユニットを含み、前記第２サブフィールドは、第２の値を保有するように構成されており、
前記第２フィールドは、独自にまたは前記第１フィールドの前記第２サブフィールドによって保有された前記第２の値と組み合わせて、前記第１フィールドによって示されるサブ帯域リソースユニットのペアそれぞれに対する第１サブ帯域リソースユニットまたは第２サブ帯域リソースユニットを示す第３の値を保有するように構成されることを特徴とする加入局を動作させる方法。
【請求項５】
前記サブ帯域のペア及び前記サブ帯域リソースユニットの論理的なインデキシングは、２個のサブ帯域リソースユニットで構成される整数の論理的なインデックスｊを持つ前記サブ帯域リソースユニットのペアが、論理的なインデックス２ｊ及び（２ｊ＋１）を持つ前記サブ帯域リソースユニットで構成されるように定義されることを特徴とする請求項１に記載の基地局、請求項２に記載の方法、請求項３に記載の加入局、または請求項４に記載の方法。
【請求項６】
前記サブ帯域のペア及び前記サブ帯域リソースユニットの論理的なインデキシングは、単一のサブ帯域リソースユニットで構成される整数の論理的なインデックスｊを持つ前記サブ帯域リソースユニットのペアが、論理的なインデックス２ｊを持つ前記サブ帯域リソースユニットで構成されるように定義されることを特徴とする請求項１に記載の基地局、請求項２に記載の方法、請求項３に記載の加入局、または請求項４に記載の方法。
【請求項７】
テーブルは、前記基地局によって前記２個以上の論理的なインデックスを前記第１の値に変換するために用いられることを特徴とする請求項１に記載の基地局、請求項２に記載の方法、請求項３に記載の加入局、または請求項４に記載の方法。
【請求項８】
数式は、前記２個以上の論理的なインデックスを前記第１の値に変換するために前記基地局によって利用されることを特徴とする請求項１に記載の基地局、請求項２に記載の方法、請求項３に記載の加入局、または請求項４に記載の方法。
【請求項９】
２個以上の論理的なインデックスを第１の値に変換する段階は、数式を利用して前記２個以上のインデックスを前記第１の値に変換する段階を含んでいることを特徴とする請求項２に記載の方法。
【請求項１０】
数式は、前記加入局によって前記第１の値を前記２個以上の論理的なインデックスに変換するために利用されることを特徴とする請求項３に記載の加入局。
【請求項１１】
数式を利用して前記第１の値を前記２個以上の論理的なインデックスに変換する段階をさらに含んでいることを特徴とする請求項４に記載の方法。
【請求項１２】
前記数式は、拡張された２項係数の使用を含み、
２個の整数ｎ及びｋの拡張された２項係数は、
【数１】
2013503546.tif 000014
として定義されて、ここで、
【数２】
2013503546.tif 000015
は、ｎ及びｋの既知の２項係数を表記することを特徴とする請求項８に記載の基地局、請求項９に記載の方法、請求項１０に記載の加入局、または請求項１１に記載の方法。
【請求項１３】
個別的な論理的なインデックスｕ及びｖを持つ２個のサブ帯域リソースユニットのペアが２個のサブ帯域リソースユニットの割り当ての一部分として示される時、インデックスｕ及びｖを前記第１の値に変換するために利用される数式は、
【数３】
2013503546.tif 000016
であることを特徴とする請求項１２に記載の基地局または方法。
【請求項１４】
論理的なインデックスｕ、ｖ及びｗ（ｕ＝ｖ）を持つ３個のサブ帯域リソースユニットのペアが３個のサブ帯域リソースユニットの割り当ての一部分として示される時、インデックスｕ、ｖ及びｗを前記第１の値に変換するために利用される数式は、
【数４】
2013503546.tif 000017
であることを特徴とする請求項１２に記載の基地局または方法。
【請求項１５】
論理的なインデックスｕ、ｖ及びｗ（ｕ≠ｖ≠ｗ≠１０）を持つ３個のサブ帯域リソースユニットのペアが３個のサブ帯域リソースユニットの割り当ての一部分として示される時、インデックスｕ、ｖ及びｗを前記第１の値に変換するために利用される数式は、
【数５】
2013503546.tif 000018
であることを特徴とする請求項１２に記載の基地局または方法。
【請求項１６】
論理的なインデックスｕ、ｖ及びｗ（ｕ≠ｖ≠ｗ、ｗ＝１０）を持つ３個のサブ帯域リソースユニットのペアが３個のサブ帯域リソースユニットの割り当ての一部分として示される時、インデックスｕ、ｖ及びｗを前記第１の値に変換するために利用される数式は
【数６】
2013503546.tif 000019
であることを特徴とする請求項６に記載の基地局または方法。
【請求項１７】
前記第１フィールドは、７ビットでさらに定義されることを特徴とする請求項１に記載の基地局、請求項２に記載の方法、請求項３に記載の加入局、または請求項４に記載の方法。
【請求項１８】
前記第１フィールドは、前記第１サブフィールドだけで構成されることをさらに定義されることを特徴とする請求項１７に記載の基地局、方法、または加入局。
【請求項１９】
前記第１フィールドは、前記第１サブフィールド及び前記第２サブフィールドで構成されることをさらに定義され、前記第１サブフィールドは、前記第１フィールドの６個の最下位のビットで構成されて、前記第２サブフィールドは、前記第１フィールドの最上位のビットで構成されることを特徴とする請求項１７に記載の基地局または方法。
【請求項２０】
前記第２フィールドは、４ビットを含んでいる表示タイプのフィールドとしてさらに定義されることを特徴とする請求項１に記載の基地局、請求項２に記載の方法、請求項３に記載の加入局、または請求項４に記載の方法。
【請求項２１】
００００ないし００１１の範囲で前記第２フィールドによって保有される前記第３の値は、２個のサブ帯域リソースユニットのペア内の２個のサブ帯域リソースユニットの割り当てを示し、前記範囲内の前記第３の値の可能な４個の値それぞれは、前記２個のサブ帯域リソースユニットのペア内の前記２個のサブ帯域リソースユニットの４個の可能な特定の位置それぞれを示すことを特徴とする請求項２０に記載の基地局。
【請求項２２】
０１００ないし０１０１の範囲で前記第２フィールドによって保有される前記第３の値は、２個のサブ帯域リソースユニットのペア内の３個のサブ帯域リソースユニットの割り当てを示し、
前記３個のサブ帯域リソースユニットの中で第１及び第２サブ帯域リソースユニットは、前記２個のサブ帯域リソースユニットのペアの中で第１サブ帯域リソースユニットのペア内で発生し、
前記範囲内の前記第３の値の可能な２個の値それぞれは、前記第２サブ帯域リソースユニットのペア内の第３サブ帯域リソースユニットの２個の可能な特定の位置それぞれを示すことを特徴とする請求項２０に記載の基地局。
【請求項２３】
０１１０ないし１１０１の範囲で前記第２フィールドによって保有される前記第３の値は、論理的なインデックスｕ、ｖ及びｗ（ｕ≠ｖ≠ｗ≠１０）を持つ３個のサブ帯域リソースユニットのペア内の３個のサブ帯域リソースユニットの割り当てを示し、前記範囲内の前記第３の値の可能な８個の値それぞれは、前記３個のサブ帯域リソースユニットのペア内の前記３個のサブ帯域リソースユニットの可能な８個の特定の位置それぞれを示すことを特徴とする請求項２０に記載の基地局。
【請求項２４】
１１１０ないし１１１１の範囲で前記第２フィールドによって保有される前記第３の値は、論理的なインデックスｕ、ｖ及びｗ（ｕ≠ｖ≠ｗ、ｗ＝１０）を持つ３個のサブ帯域リソースユニットのペア内の３個のサブ帯域リソースユニットの割り当てを示し、インデックスｗ＝１０を持つサブ帯域リソースユニットのペアは、割り当てされる前記３個のサブ帯域リソースユニットの中で単一のサブ帯域リソースユニット及び第１サブ帯域リソースユニットで構成されることを特徴とする請求項２０に記載の基地局。
【請求項２５】
００００ないし００１１の範囲で前記第２フィールドによって保有される前記第２の値は、２個のサブ帯域リソースユニットのペア内の２個のサブ帯域リソースユニットの割り当てを示し、前記範囲内の前記第２の値の可能な４個の値それぞれは、前記２個のサブ帯域リソースユニットのペア内の前記２個のサブ帯域リソースユニットの可能な４個の特定の位置それぞれを示すことを特徴とする請求項２０に記載の方法。
【請求項２６】
０１００ないし０１０１の範囲で前記第２フィールドによって保有される前記第２の値は、２個のサブ帯域リソースユニットのペア内の３個のサブ帯域リソースユニットの割り当てを示し、
前記３個のサブ帯域リソースユニットの中で第１及び第２サブ帯域リソースユニットは、前記２個のサブ帯域リソースユニットのペアの中で第１サブ帯域リソースユニットのペア内で発生し、
前記範囲内の前記第２の値の可能な２個の値それぞれは、前記第２サブ帯域リソースユニットのペア内の前記第３サブ帯域リソースユニットの可能な２個の特定の位置それぞれを示すことを特徴とする請求項２０に記載の方法。
【請求項２７】
０１１０ないし１１０１の範囲で前記第２フィールドによって保有される前記第２の値は、論理的なインデックスｕ、ｖ及びｗ（ｕ≠ｖ≠ｗ≠１０）を持つ３個のサブ帯域リソースユニットのペア内の３個のサブ帯域リソースユニットの割り当てを示し、前記範囲内の前記第２の値の可能な８個の値それぞれは、前記３個のサブ帯域リソースユニットのペア内の前記３個のサブ帯域リソースユニットの可能な８個の特定の位置それぞれを示すことを特徴とする請求項２０に記載の方法。
【請求項２８】
１１１０ないし１１１１の範囲で前記第２フィールドによって保有される前記第２の値は、論理的なインデックスｕ、ｖ及びｗ（ｕ≠ｖ≠ｗ、ｗ＝１０）を持つ３個のサブ帯域リソースユニットのペア内の３個のサブ帯域リソースユニットの割り当てを示し、インデックスｗ＝１０を持つサブ帯域リソースユニットのペアは、割り当てされる前記３個のサブ帯域リソースユニットの中で単一のサブ帯域リソースユニット及び第１サブ帯域リソースユニットで構成されることを特徴とする請求項２０に記載の方法。
【請求項２９】
前記第１フィールドは７ビットでさらに定義され、前記７ビットの中の６個の最下位のビットを含んでいる前記第１サブフィールドと、及び最上位のビットを含んでいる前記第２サブフィールドとを含み、
前記第２サブフィールドの前記第３の値の可能な２個の値それぞれは、前記第２サブフィールドの前記第２の値の可能な２個の値それぞれと組み合わせて、論理的なインデックスｕ及びｖを持つ前記サブ帯域リソースユニットのペア内の前記サブ帯域リソースユニットの中で第２及び第３サブ帯域リソースユニットの可能な４個の位置それぞれを示すことを特徴とする請求項２４に記載の基地局または請求項２８に記載の方法。
【請求項３０】
００００ないし００１１の範囲で前記第２フィールドによって保有される前記第３の値は、２個のサブ帯域リソースユニットのペア内の２個のサブ帯域リソースユニットの割り当てを示すことに解釈され、この範囲内の前記第３の値の可能な４個の値それぞれは、前記２個のサブ帯域リソースユニットのペア内の前記２個のサブ帯域リソースユニットの可能な４個の特定の位置それぞれを示すことを特徴とする請求項２０に記載の加入局または方法。
【請求項３１】
前記第２フィールドは、４ビットを具備し、００００ないし００１１の範囲で前記第２フィールドによって保有される前記第３の値は２個のサブ帯域リソースユニットのペア内の２個のサブ帯域リソースユニットの割り当てを示すことに解釈され、この範囲内の前記第３の値の可能な４個の値それぞれは、前記２個のサブ帯域リソースユニットのペア内の前記２個のサブ帯域リソースユニットの可能な４個の特定の位置それぞれを示すことを特徴とする請求項１８に記載の加入局または方法。
【請求項３２】
示される前記２個のサブ帯域リソースユニットのペアの前記論理的なインデックスｕ及びｖは、数式
【数７】
2013503546.tif 000020
の使用によって前記第１サブフィールドの前記第１の値に変換されるように解釈されることを特徴とする請求項３１に記載の加入局または方法。
【請求項３３】
０１００ないし０１０１の範囲で前記第２フィールドによって保有される前記第３の値は、２個のサブ帯域リソースユニットのペア内の３個のサブ帯域リソースユニットの割り当てを示すように解釈され、前記３個のサブ帯域リソースユニットの中で第１及び第２サブ帯域リソースユニットは、前記２個のサブ帯域リソースユニットのペアの中で第１サブ帯域リソースユニットのペア内で発生し、この範囲内の前記第３の値の可能な２個の値それぞれは、前記第２サブ帯域リソースユニットのペア内の第３サブ帯域リソースユニットの２個の可能な特定の位置それぞれを示すことを特徴とする請求項２０に記載の加入局または方法。
【請求項３４】
前記第２フィールドは、４ビットを具備し、０１００ないし０１０１の範囲で前記第２フィールドによって保有される前記第３の値は、２個のサブ帯域リソースユニットのペア内の３個のサブ帯域リソースユニットの割り当てを示すことに解釈され、前記３個のサブ帯域リソースユニットの中で第１及び第２サブ帯域リソースユニットは、前記２個のサブ帯域リソースユニットのペアの中で第１サブ帯域リソースユニットのペア内で発生し、この範囲内の前記第３の値の可能な２個の値それぞれは、前記第２サブ帯域リソースユニットのペア内の前記第３サブ帯域リソースユニットの可能な２個の特定の位置それぞれを示すことを特徴とする請求項１８に記載の加入局または方法。
【請求項３５】
示される前記３個のサブ帯域リソースユニットのペアの前記論理的なインデックスｕ、ｖ及びｗ（ｕ＝ｖ）は、数式
【数８】
2013503546.tif 000021
の使用によって前記第１サブフィールドの前記第１の値に変換されることに解釈されることを特徴とする請求項３４に記載の加入局または方法。
【請求項３６】
０１１０ないし１１０１の範囲で前記第２フィールドによって保有される前記第３の値は、論理的なインデックスｕ、ｖ及びｗ（ｕ≠ｖ≠ｗ≠１０）を持つ３個のサブ帯域リソースユニットのペア内の３個のサブ帯域リソースユニットの割り当てを示すことに解釈され、この範囲内の前記第３の値の可能な８個の値それぞれは、前記３個のサブ帯域リソースユニットのペア内の前記３個のサブ帯域リソースユニットの可能な８個の特定の位置それぞれを示すことを特徴とする請求項２０に記載の加入局または方法。
【請求項３７】
前記第２フィールドは、４ビットを具備し、０１１０ないし１１０１の範囲で前記第２フィールドによって保有される前記第３の値は、論理的なインデックスｕ、ｖ及びｗ（ｕ≠ｖ≠ｗ≠１０）を持つ３個のサブ帯域リソースユニットのペア内の３個のサブ帯域リソースユニットの割り当てを示すことに解釈され、この範囲内の前記第３の値の可能な８個の値それぞれは、前記３個のサブ帯域リソースユニットのペア内の前記３個のサブ帯域リソースユニットの可能な８個の特定の位置それぞれを示すことを特徴とする請求項１８に記載の加入局または方法。
【請求項３８】
示される前記３個のサブ帯域リソースユニットのペアの前記論理的なインデックスｕ、ｖ及びｗ（ｕ≠ｖ≠ｗ≠１０）は、数式
【数９】
2013503546.tif 000022
によって前記第１サブフィールドの前記第１の値に変換されることに解釈されることを特徴とする請求項３７に記載の加入局または方法。
【請求項３９】
１１１０ないし１１１１の範囲で前記第２フィールドによって保有される前記第３の値は、論理的なインデックスｕ、ｖ及びｗ（ｕ≠ｖ≠ｗ、ｗ＝１０）を持つ３個のサブ帯域リソースユニットのペア内の３個のサブ帯域リソースユニットの割り当てを示すことに解釈され、インデックスｗ＝１０を持つ前記サブ帯域リソースユニットのペアは、割り当てられる前記３個のサブ帯域リソースユニットの中で単一のサブ帯域リソースユニット及び第１サブ帯域リソースユニットで構成されることを特徴とする請求項２０に記載の加入局または方法。
【請求項４０】
前記第１フィールドは、７ビットで構成されることにさらに定義されて、前記７ビットの中で６個の最下位のビットを含んでいる前記第１サブフィールドと、及び最上位のビットを含んでいる前記第２サブフィールドとを含み、
前記第２サブフィールドの前記第２の値の可能な２個の値それぞれは、前記第３の値の可能な２個の値それぞれと組み合わせて、論理的なインデックスｕ及びｖを持つ前記サブ帯域リソースユニットのペア内の前記サブ帯域リソースユニットの中で第２及び第３サブ帯域リソースユニットの可能な４個の位置それぞれを示すことを特徴とする請求項３９に記載の加入局または方法。
【請求項４１】
前記３個のサブ帯域リソースユニットのペアの前記論理的なインデックスｕ、ｖ及びｗ（ｕ≠ｖ≠ｗ、ｗ＝１０）は、数式
【数１０】
2013503546.tif 000023
によって前記第１サブフィールドの前記第１の値に変換されることに解釈されることを特徴とする請求項４０に記載の加入局または方法。
【請求項４２】
前記第１フィールドは、前記第１サブフィールド及び前記第２サブフィールドで構成されることにさらに定義され、前記第１サブフィールドは、前記第１フィールドの６個の最下位のビットで構成され、前記第２サブフィールドは、前記第１フィールドの最上位のビットで構成されることを特徴とする請求項１７に記載の加入局または方法。
【発明の詳細な説明】
【技術分野】
【０００１】
本出願は無線通信に関し、より具体的にはサブ帯域リソースの割り当てを伝達するシステム及び方法に関するのである。
【背景技術】
【０００２】
セルラー通信システムにおいて、特定の地理的領域はセルと呼称される領域に分割される。各セル内の移動局（ＭＳ）は単一の基地局（ＢＳ）によってサービスを受ける。ＢＳはダウンリンク（ＤＬ）と呼称される無線経路を通じてそれのセル内にある特定のＭＳ（またはＭＳグループ）に情報を送信して、ＭＳはアップリンク（ＵＬ）と呼称される無線経路を通じて情報をＢＳに送信する。
【発明の概要】
【課題を解決するための手段】
【０００３】
基地局が提供される。この基地局はダウンリンクフレームを送信するように構成された送信経路回路を含んでいる。ダウンリンクフレームはリソースの割り当てメッセージを含んでいる。リソースの割り当てメッセージはリソースの割り当てフィールドを含んでいる。リソースの割り当てフィールドは、第１サブフィールドを含んでいるかまたは第１サブフィールド及び第２サブフィールドを含んでいる第１フィールドを含んでいるが、第１サブフィールドは２個以上の論理的なインデックスを示す第１の値を保有するように構成されて、第２サブフィールドは第３の値を保有するように構成される。２個以上の論理的なインデックスそれぞれはサブ帯域リソースユニットのペアと関連しており、そのサブ帯域リソースユニットのペアは第１サブ帯域リソースユニットを含んでいるかまたは第１サブ帯域リソースユニット及び第２サブ帯域リソースユニットを含んでいる。リソースの割り当てフィールドは単独でまたは第３の値と組み合わせて第１フィールドによって示されるそれぞれのサブ帯域リソースユニットのペアに対する第１サブ帯域リソースユニットまたは第２サブ帯域リソースユニットを示す第２の値を保有するように構成された第２フィールドを含んでいる。
【０００４】
基地局でリソースの割り当てメッセージを送信する方法が提供される。この方法は、リソースの割り当てメッセージのリソースの割り当てフィールドを、第１サブフィールドを含んでいるかまたは第１サブフィールド及び第２サブフィールドを含んでいる第１フィールドと第２フィールドに分割する段階と、２個以上の論理的なインデックスを第１の値に変換する段階と、を含んでいる。２個以上の論理的なインデックスのそれぞれはサブ帯域リソースユニットのペアと関連しており、そのサブ帯域リソースユニットのペアは第１サブ帯域リソースユニットを含んでいるかまたは第１サブ帯域リソースユニット及び第２サブ帯域リソースユニットを含んでいる。この方法はまたリソースの割り当てフィールドの中で第１フィールドの第１サブフィールド内の第１の値を識別する段階と、第１フィールドによって示されるそれぞれのサブ帯域リソースユニットのペアに対する第１サブ帯域リソースユニットまたは第２サブ帯域リソースユニットを示す第２の値または第２の値及び第３の値を判定する段階を含んでいる。この方法はまたリソースの割り当てフィールドの中で第２フィールド内の第２の値及び第１フィールドの第２サブフィールド内の第３の値を識別する段階と、ダウンリンクフレーム内のリソースの割り当てメッセージを送信する段階と、を含んでいる。
【０００５】
加入局が提供される。加入局はダウンリンクフレームを受信するように構成された受信経路回路を含んでいる。ダウンリンクフレームはリソースの割り当てメッセージを含んでいる。リソースの割り当てメッセージはリソースの割り当てフィールドを含んで、リソースの割り当てフィールドは第１サブフィールドを含んでいるかまたは第１サブフィールド及び第２サブフィールドを含んでいるが、第１サブフィールドは２個以上のインデックスを示す第１の値を保有するように構成されて、第２サブフィールドは第３の値を保有するように構成される。２個以上の論理的なインデックスのそれぞれはサブ帯域リソースユニットのペアと関連しており、そのサブ帯域リソースユニットのペアは第１サブ帯域リソースユニットを含んでいるかまたは第１サブ帯域リソースユニット及び第２サブ帯域リソースユニットを含んでいる。リソースの割り当てフィールドはまた単独でまたは第３の値と組み合わせて第１フィールドによって示されるそれぞれのサブ帯域リソースユニットのペアに対する第１サブ帯域リソースユニットまたは第２サブ帯域リソースユニットを示す第２の値を保有するように構成された第２フィールドを含んでいる。
【０００６】
加入局が提供される。加入局はダウンリンクフレーム内のリソースの割り当てメッセージを受信するように構成される。リソースの割り当てメッセージはリソースの割り当てフィールドを含んで、リソースの割り当てフィールドは、第１サブフィールドを含んでいるかまたは第１サブフィールド及び第２サブフィールドを含んでいる第１フィールドを含んでいるが、第１サブフィールドは２個以上の論理的なインデックスを示す第１の値を持ち、第２サブフィールドは第３の値を持つ。２個以上の論理的なインデックスそれぞれはサブ帯域リソースユニットのペアと関連しており、そのサブ帯域リソースユニットのペアは第１サブ帯域リソースユニットを含んでいるか第１サブ帯域リソースユニット及び第２サブ帯域リソースユニットを含んでいる。リソースの割り当てフィールドはまた単独でまたは第３の値と組み合わせて第１フィールドによって示されるそれぞれのサブ帯域リソースユニットのペアに対する第１サブ帯域リソースユニットまたは第２サブ帯域リソースユニットを示す第２の値を持つ第２フィールドを含んでいる。加入局はまた２個以上の論理的なインデックスを変換させるように構成される。２個以上の論理的なインデックスそれぞれはサブ帯域リソースユニットのペアと関連しており、サブ帯域リソースユニットのペアは第１サブ帯域リソースユニットを含んでいるかまたは第１サブ帯域リソースユニット及び第２サブ帯域リソースユニットを含んでいる。加入局は第２の値単独または第２の値と第３の値との組み合わせを第１フィールドによって示されるそれぞれのサブ帯域リソースユニットのペアに対する第１サブ帯域リソースユニットまたは第２サブ帯域リソースユニットに変換するようにさらに構成される。
【０００７】
下記の発明を実施するための具体的な内容を始める前に、本特許文献の全体で使用される特定の単語やフレーズの定義を説明することが有利である場合もある。すなわち、“含む（ｉｎｃｌｕｄｅ、ｃｏｍｐｒｉｓｅ）”という用語及びこれの派生語は制限ない含みを意味し、“または（ｏｒ）”という用語は包括的な意味であり、及び/または“〜に関連する（ａｓｓｏｃｉａｔｅｄ  ｗｉｔｈ、ａｓｓｏｃｉａｔｅｄ  ｔｈｅｒｅｗｉｔｈ）”というフレーズ及びこれの派生語は〜を含んでいる、〜内に含まれている、〜と相互接続する、〜を含有する、〜に含有されている、〜と接続するまたは〜に接続させる、〜と連結するまたは〜に連結させる、〜と通信が可能である、〜と協力する、〜インタリーブする、〜と並置する、〜に隣接する、〜に縛られるまたは〜で縛られる、〜を持つ、〜の特性を持つなどを意味することであることができるし、“制御器”という用語は少なくとも一つの動作を制御するが、ハードウェア、ファームウェア、ソフトウェア、またはこれらの中で少なくとも２個の一部の組み合わせとして具現されることができる任意のデバイス、システムまたはこれらの一部分を意味する。任意の特定の制御器と係わる機能が近距離でも遠距離でも中央集中されるか分配されることができるという点に留意しなければならない。特定の単語及びフレーズの定義については、この特許文献の全般にわたって提供されて、当業者ならば、ほとんどの場合を除き、多くの部分では、このような定義がそのように定義された単語やフレーズの以前および将来の使用に適用されることを理解する。
【０００８】
本開示事項及びこれの利点に対するより完全に理解するために、もう添付した図面と結びついて次の説明が参照され、図面で類似の参照記号は等しい部分を示す。
【図面の簡単な説明】
【０００９】
【図１】本開示事項の原理によってダウンリンクにメッセージを送信する例示的な無線ネットワークを例示している。
【図２】本開示事項の一実施例によるＯＦＤＭＡ送信機の上位レベルの回路図である。
【図３】本開示事項の一実施例によるＯＦＤＭＡ受信機の上位レベルの回路図である。
【図４】本開示事項の実施例によってサブ帯域の論理的なインデックスをサブ帯域のペアのインデックスにグループ化したことを例示している。
【図５】本開示事項の実施例によるリソースの割り当て（Ｒｅｓｏｕｒｃｅ  Ａｌｌｏｃａｔｉｏｎ：ＲＡ）フィールドを例示している。
【図６】本開示事項の実施例によってリソースのインデキシングフィールド（ｒｅｓｏｕｒｃｅ  ｉｎｄｅｘｉｎｇ  ｆｉｅｌｄ：ＲＩＦ）のデシマルの値を２個のサブ帯域のペアの論理的なインデックスに変換するためのテーブルを例示している。
【図７】本開示事項の実施例によってリソースのインデキシングフィールド（ＲＩＦ）のデシマルの値を２個のサブ帯域のペアの論理的なインデックスに変換するための拡張された２項式（ｅｘｔｅｎｄｅｄ  ｂｉｎｏｍｉａｌ  ｆｏｒｍｕｌａ）によって生成されたテーブルを例示している。
【図８】本開示事項の実施例によってリソースのインデキシングフィールド（ＲＩＦ）のデシマルの値を３個のサブ帯域のペアの論理的なインデックスに変換するためのテーブルを例示している。
【図９】本開示事項の実施例によってリソースのインデキシングフィールド（ＲＩＦ）のデシマルの値を３個のサブ帯域のペアの論理的なインデックスに変換するための拡張された２項式によって生成されたテーブルを例示している。
【図１０】本開示事項の実施例によって表示タイプのフィールド（ｉｎｄｉｃａｔｉｏｎ  ｔｙｐｅ  ｆｉｅｌｄ：ＩＴＦ）のデシマルの値を３個のサブ帯域のペア内の３個のサブ帯域の位置に変換するためのテーブルを例示している。
【図１１】本開示事項の他の実施例によってリソースのインデキシングフィールド（ＲＩＦ）のデシマルの値を３個のサブ帯域のペアの論理的なインデックスに変換するためのテーブルを例示している。
【図１２】本開示事項の他の実施例によってリソースのインデキシングフィールド（ＲＩＦ）のデシマルの値を３個のサブ帯域のペアの論理的なインデックスに変換するためのテーブルを例示している。
【図１３】本開示事項の他の実施例によってリソースのインデキシングフィールド（ＲＩＦ）のデシマルの値を３個のサブ帯域のペアの論理的なインデックスに変換するための拡張された２項式によって生成されたテーブルを例示している。
【図１４】本開示事項の他の実施例によってリソースのインデキシングフィールド（ＲＩＦ）のデシマルの値を３個のサブ帯域のペアの論理的なインデックスに変換するための拡張された２項式によって生成されたテーブルを例示している。
【図１５】本開示事項の追加実施例によって７−ビットのリソースのインデキシングフィールド（ＲＩＦ）のデシマルの値を３個のサブ帯域のペアの論理的なインデックスに変換するためのテーブルを例示している。
【図１６】本開示事項の追加実施例によってリソースのインデキシングフィールド（ＲＩＦ）のデシマルの値を３個のサブ帯域のペアの論理的なインデックスに変換するための拡張された２項式によって生成されたテーブルを例示している。
【図１７】基地局でリソースの割り当てメッセージを送信する方法を例示している。
【図１８】加入局でリソースの割り当てメッセージを受信する方法を例示している。
【発明を実施するための形態】
【００１０】
下記に説明される図１ないし図１８及びこの特許文献の本開示事項の原理を説明するために用いられる多様な実施例はただ例示であり、本開示事項のカテゴリーを制限するいかなる方法でも理解してはならない。当業者ならば、本開示事項の原理が任意の適切に構成された無線通信システムとして具現される可能性があることを理解する。
【００１１】
以下の説明に関連して、ＬＴＥの用語“ノードＢ”は下記で用いられる“基地局”の他の用語である。また、“セル”という用語は“基地局”または“基地局”に属する“セクター”を示すことができる論理的な概念である。本開示事項で、“セル”及び“基地局”は無線システムで（“セクター”または“基地局”などであることができる）実際の送信ユニットを示すように相互交換可能に使用することができる。また、ＬＴＥの用語“ユーザ機器”または“ＵＥ”は下記で用いられる“加入局”または“移動局”の他の用語である。次のすべての図面で、一部の選択的特徴は明確に表示される一方、一部は明瞭性のために省略されるという点に留意する。
【００１２】
図１はこの開示事項の原理によってメッセージを送信する例示的な無線ネットワーク１００を例示している。例示された実施例で、無線ネットワーク１００は基地局（ＢＳ）１０１、基地局（ＢＳ）１０２、基地局（ＢＳ）１０３、及びその他の類似の基地局（図示されていない）を含んでいる。基地局１０１はインターネット１３０または類似のＩＰ−ベースネットワーク（図示されていない）と通信する。
【００１３】
基地局１０２は基地局１０２のサービス提供領域（ｃｏｖｅｒａｇｅ  ａｒｅａ）１２０内の第１の複数の加入局に（基地局１０１を通じて）インターネット１３０への無線広帯域アクセスを提供する。第１の複数の加入局は、小企業（ｓｍａｌｌ  ｂｕｓｉｎｅｓｓ：ＳＢ）に配置されうる加入局１１１と、企業（Ｅ）に配置されうる加入局１１２と、ＷｉＦｉホットスポット（ｈｏｔｓｐｏｔ：ＨＳ）に配置されうる加入局１１３と、第１の居住地（Ｒ）に配置されうる加入局１１４と、第２の居住地（Ｒ）に配置されうる加入局１１５と、セルフォーン、無線ラップトップ、無線ＰＤＡなどのような移動デバイス（Ｍ）である場合もある加入局１１６を含んでいる。
【００１４】
基地局１０３は基地局１０３のサービス提供領域（ｃｏｖｅｒａｇｅ  ａｒｅａ）１２５内の第２の複数の加入局に（基地局１０１を通じて）インターネット１３０への無線広帯域アクセスを提供する。第２の複数の加入局は加入局１１５及び加入局１１６を含んでいる。例示的な実施例で、基地局１０１−１０３はＯＦＤＭまたはＯＦＤＭＡ技術を利用して加入局１１１−１１６と通信することができる。
【００１５】
基地局１０１は、より多くの基地局と通信することができ、またはより少ない数の基地局と通信することもできる。また、ただ６個の基地局だけが図１に図示されているが、無線ネットワーク１００は追加加入局に無線広帯域アクセスを提供することができるという点が理解できる。加入局１１５及び加入局１１６が両側のサービス提供領域１２０及びサービス提供領域１２５すべてのエッジに位するという点に留意する。加入局１１５及び加入局１１６は、当業者に知られているように、両側の基地局１０２及び基地局１０３すべてとそれぞれ通信し、ハンドオフモード（ｈａｎｄｏｆｆ  ｍｏｄｅ）で動作していると見なすことができる。
【００１６】
加入局１１１−１１６はインターネット１３０を通じて音声、データ、ビデオ、ビデオ会議、及び/またはその他の広帯域サービスにアクセスすることができる。例示的な実施例で、加入局１１１−１１６の中の一つ以上の加入者局はＷｉＦｉ  ＷＬＡＮのアクセスポイント（ＡＰ）と連関されることができる。加入局１１６は、無線接続が可能なラップトップコンピューター、個人携帯情報端末、ノートパソコン、ポータブルデバイス、またはその他の無線接続が可能なデバイスを含んでいる多数の移動デバイスの中で任意のことであることができる。加入局１１４、１１５は、例えば無線接続が可能な個人用コンピューター（ＰＣ）、ラップトップコンピューター、ゲートウェイ、または他のデバイスであることができる。
【００１７】
図２は直交周波数分割多重アクセス（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ：ＯＦＤＭＡ）の送信経路の上位レベルの回路図である。図３は直交周波数分割多重アクセス（ＯＦＤＭＡ）の受信経路の上位レベルの回路図である。図２及び図３では、ただ例示及び説明のために、ＯＦＤＭＡの送信経路は基地局（ＢＳ）１０２で具現されて、ＯＦＤＭＡの受信経路は加入局（ＳＳ）１１６で具現される。しかし、当業者ならば、ＯＦＤＭＡの受信経路がＢＳ１０２でも具現されることができるし、ＯＦＤＭＡの送信経路がＳＳ１１６でも具現される可能性があることを理解する。
【００１８】
ＢＳ１０２での送信経路はチャンネルコーディング及び変調ブロック２０５、直列−並列（ｓｅｒｉａｌ−ｔｏ−ｐａｒａｌｌｅｌ：Ｓ−ｔｏ−Ｐ）ブロック２１０、大きさＮの高速逆フーリエの変換（Ｉｎｖｅｒｓｅ  Ｆａｓｔ  Ｆｏｕｒｉｅｒ  Ｔｒａｎｓｆｏｒｍ：ＩＦＦＴ）ブロック２１５、並列−直列（ｐａｒａｌｌｅｌ−ｔｏ−ｓｅｒｉａｌ：Ｐ−ｔｏ−Ｓ）ブロック２２０、及び周期的な前置符号追加（ａｄｄ  ｃｙｃｌｉｃ  ｐｒｅｆｉｘ）ブロック２２５、アップコンバーター（ｕｐ−ｃｏｎｖｅｒｔｅｒ：ＵＣ）２３０を含んでいる。ＳＳ１１６での受信経路はダウンコンバーター（ｄｏｗｎ−ｃｏｎｖｅｒｔｅｒ：ＤＣ）２５５、周期的な前置符号消去（ｒｅｍｏｖｅ ｃｙｃｌｉｃ  ｐｒｅｆｉｘ）ブロック２６０、直列−並列（Ｓ−ｔｏ−Ｐ）ブロック２６５、大きさＮの高速フーリエの変換（ＦＦＴ）ブロック２７０、並列−直列（Ｐ−ｔｏ−Ｓ）ブロック２７５、チャンネルデコーディング及び復調ブロック２８０を含んでいる。
【００１９】
図２及び図３の構成素子の中で少なくとも一部はソフトウェアで具現されることができる一方、その他の構成素子は設定可能なハードウェアによって、またはソフトウェアと設定可能なハードウェアの混合によって具現されることができる。具体的に、この開示事項に説明されたＦＦＴブロック及びＩＦＦＴブロックは設定可能なソフトウェアのアルゴリズムとして具現されることができるし、その具現例に応じて大きさＮの値が修正されることができるという点に留意する。
【００２０】
また、この開示事項が高速フーリエの変換及び高速逆フーリエの変換を具現する実施例に関することであるが、これはただ例示であり、開示事項のカテゴリーを制限することと理解してはならない。開示事項の代替実施例で、高速フーリエの変換関数及び高速逆フーリエの変換関数はそれぞれ離散フーリエの変換（Ｄｉｓｃｒｅｔｅ  Ｆｏｕｒｉｅｒ  Ｔｒａｎｓｆｏｒｍ：ＤＦＴ）関数及び離散逆フーリエの変換（Ｉｎｖｅｒｓｅ  Ｄｉｓｃｒｅｔｅ  Ｆｏｕｒｉｅｒ  Ｔｒａｎｓｆｏｒｍ：ＩＤＦＴ）関数として容易に置き換えることができるという点が理解されるのである。ＤＦＴ及びＩＤＦＴ関数に対して変数Ｎの値は任意の整数（すなわち、１、２、３、４など）であり、その一方で、ＦＦＴ及びＩＦＦＴの関数についての変数Ｎの値は２の二乗である任意の整数（すなわち、１、２、４、８、１６など）である場合もあるという点が理解されるのである。
【００２１】
ＢＳ１０２で、チャンネルコーディング及び変調ブロック２０５は情報ビットセットを受信して、コーディング（例えば、ターボコーディング）を適用し、入力ビットを変調（例えば、ＱＰＳＫ、ＱＡＭ）して、一連の周波数−ドメイン変調シンボルを生成する。直列−並列ブロック２１０は直列変調されたシンボルを並列データに変換して（すなわち、逆多重化して）、ＮがＢＳ１０２及びＳＳ１１６で用いられるＩＦＦＴ/ＦＦＴの大きさのＮ個の並列シンボルストリームを生成する。そうすれば、大きさＮのＩＦＦＴブロック２１５はＮ個の並列シンボルストリームに対してＩＦＦＴ動作を実行して、直列時間−ドメイン信号を生成する。続いて、周期的な前置符号追加ブロック２２５は周期的な前置符号を時間−ドメイン信号に挿入する。最後に、アップコンバーター２３０は周期的な前置符号追加ブロック２２５の出力を、無線チャンネルを通じる送信用ＲＦ周波数に変調する（すなわち、アップ−変換する）。信号はまたＲＦ周波数への変換の以前に基底帶域でフィルタリングすることができる。
【００２２】
送信されたＲＦ信号は無線チャンネルを通過した後、ＳＳ１１６に到逹して、ＢＳ１０２でこのような信号に対する逆動作が実行される。ダウン−コンバータ２５５は受信された信号を基底帶域の周波数にダウン−変換し、周期的な前置符号消去ブロック２６０は周期的な前置符号を削除して直列時間−ドメインの基底帶域信号を生成する。直列−並列ブロック２６５は時間−ドメインの基底帶域信号を並列時間−ドメイン信号に変換する。そうすれば、大きさＮのＦＦＴブロック２７０はＦＦＴアルゴリズムを行ってＮ並列周波数−ドメイン信号を生成する。並列−直列ブロック２７５は並列周波数−ドメイン信号を一連の変調されたデータシンボルに変換する。チャンネルデコーディング及び復調ブロック２８０は変調されたシンボルを復調した後にデコーディングして、オリジナル入力データストリームを復元する。
【００２３】
それぞれの基地局１０１−１０３は加入局１１１−１１６へのダウンリンクで送信することと類似の送信経路を具現することができるし、加入局１１１−１１６からアップリンクで受信することと類似の受信経路を具現することができる。同様に、それぞれの加入局１１１−１１６は基地局１０１−１０３にアップリンクで送信するためのアーキテクチャに対応する送信経路を具現することができるし、基地局１０１−１０３からダウンリンクで受信するためのアーキテクチャに対応する受信経路を具現することができる。
【００２４】
ＵＬ及びＤＬ上での送信は同じ時間間隔を持つが異なる周波数帯域（周波数分割二重化、ＦＤＤと呼ばれる）で行われることもあり、または同じ周波数帯域を持つが重複していない時間間隔（時間分割二重化、ＴＤＤと呼ばれる）間に行われることもある。
【００２５】
本開示事項の実施例はＤＬ及びＵＬ上での送信がＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調をベースにするセルラー通信システムと関連して説明される。ＯＦＤＭ変調で、無線リンク（ＤＬまたはＵＬ）に対する利用可能帯域幅は、送信される情報が具現され、サブキャリア（ＳＣ）と呼ばれる多くの数のより小さな帯域幅の単位に分割される。
【００２６】
ＯＦＤＭ変調によって、ＵＬ上では、特定のセル内のＭＳが非重畳ＳＣセットを同時に用いてＢＳへの送信をする場合、ＢＳで受信される時、任意のＭＳからの送信は任意の他のＭＳからの送信に直交する状態になる。例えば、ＭＳｉがＳＣセットの{Ｓｉ}を用いてＢＳへのＵＬ送信を作り、異なるＭＳによって用いられたＳＣセットが重畳されなかった場合、その後ＢＳで受信される時には、ＳＣセットの{Ｓｉ}上のＭＳｉからの送信は、任意のＭＳｊ（ｊ≠ｉ）からＢＳへのいかなる送信によっても干渉されない。
【００２７】
また、ＤＬ上で、ＢＳが非重畳ＳＣセットを用いて異なるＭＳへの同時送信をする場合、特定のＭＳでは、他のＭＳに予定される送信がその特定のＭＳに予定される送信に直交するように見える。例えば、ＢＳがＳＣセットの{Ｓｉ}を用いてＭＳｉへの送信を作って非重畳ＳＣセットを用いて多様なＭＳへの送信を作る場合、その後ＭＳｉで受信される時には、ＳＣセット{Ｓｉ}上のＢＳからの送信は、ＢＳから他の任意のＭＳｊ（ｊ≠ｉ）へのいかなる送信によっても干渉されない。
【００２８】
ＯＦＤＭ変調の特性はＵＬ上で多くのＭＳとＢＳ間の同時的な通信及びＤＬ上でＢＳと多くのＭＳの間の同時的な通信を許容する。
【００２９】
ＯＦＤＭ−ベースシステムで、（ＢＳからＭＳに及びＭＳからＢＳに）送信が発生する基本の時間単位はＯＦＤＭシンボルと呼称される。
【００３０】
このようなシステムで、ＵＬ上で、ＢＳによる送信は非重畳ＳＣセットが用いられていないということを保証するように編成されて、それぞれのＭＳはＢＳへの送信に用いるＳＣセットに対してＢＳによって指示を受けなければならない。また、ＤＬ上で、ＢＳは非重畳ＳＣセットを用いてＭＳへの送信を作って、ＭＳはＭＳに予定された送信を受信することを聞き取りするＳＣセットに対してＢＳによって指示を受けなければならない。
【００３１】
ＵＬ送信に用いるＳＣセットまたはＤＬ送信を受信するＳＣセットに関するＭＳへの指示はリソースの割り当てメッセージと呼ばれる。これらのリソースの割り当てメッセージはリソースの割り当て領域と呼ばれるＳＣセット上でＢＳによって送信される。明確にするために、特定のＭＳまたはＭＳグループにそれぞれ予定される多くのリソースの割り当てメッセージはリソースの割り当て領域の一部分であるＳＣ上で伝達する。
【００３２】
リソースの割り当て領域はすべてのＭＳであると知られている。それぞれのＭＳはリソースの割り当て領域でリソースの割り当てメッセージを受信、デコーディング及び解釈して、ＭＳがＵＬ送信に用いるＳＣセット及び/またはＭＳがＤＬ送信を受信するようにするＳＣセットを接するようになる。
【００３３】
リソースの論理的なインデックスは、リソースが割り当ての中と呼ばれて、物理的リソースへの変換に対する慣例によってＢＳまたはＭＳが割り当てられていると呼ばれている物理的リソースを判定するようにするインデックスである。ＢＳによってＤＬ上でＭＳへの送信を作ってＭＳによってＵＬ上でＢＳへの送信を作るのに利用可能なＳＣセット２個の広いカテゴリーに分類される。
【００３４】
分配されたリソース：これらは分配されたリソースユニットの集合として、分配されたリソースユニットはＳＣの論理的なインデックスと関連して隣接するＳＣが物理的な送信の帯域幅に対してはそれらの位置と関連して物理的に隣接しないＳＣセット論理的なインデックスの（ＳＣ及びＯＦＤＭシンボルの数の面で）知られた大きさのサブセットである。分配されたリソースでの送信は受信機が総利用可能の帯域幅の中で全体の部分または比較的広い部分にかけて平均チャンネル条件を経験するようにする。
【００３５】
隣接するリソース：これらは隣接するリソースユニット（ｃｏｎｔｉｇｕｏｕｓ  ｒｅｓｏｕｒｃｅ  ｕｎｉｔｓ：ＣＲＵ）の集合として、隣接するリソースユニットは物理的に隣接するＳＣ（すなわち、隣接する論理的なインデックスを持つ構成素子のＳＣは物理的でも隣接する）で構成されるＳＣの論理的なインデックスの（ＳＣ及びＯＦＤＭシンボルの数の面で）知られた大きさのサブセットである。
【００３６】
前記の説明の状況で、サブ帯域（ＳＢ）はサブ帯域にあるＳＣのセットが物理的に隣接するようにあらかじめ決まった（すべてのＢＳ及びすべてのＭＳに知られた）数のＣＲＵで成り立つのである。
【００３７】
ＳＢリソースは一般的に“周波数選択的”送信を実行するように利用されることに予定される。ＳＢは一般的に全体の利用可能の帯域幅の中で少ない部分をスパニング（span）するか、または全体の帯域幅の中で少ない部分を“サンプリング”する。ＳＢ内のすべてのＳＣが物理的に隣接するという事実によって、そのＳＣ全体にわたるチャンネル条件は多くの場合に似ていると期待される。ＭＳは全体の帯域幅にかけた無線チャンネル条件の幅広い変化を経験することができる。ＭＳは全体の帯域幅を構成する多くのＳＢの全体で無線チャンネル条件を推定してＢＳに帰還する。そうすれば、ＢＳはただ良好なＳＢ上でのみＭＳへの送信をスケジューリングすることができる。
【００３８】
ＩＥＥＥ８０２．１６ｅシステム（ＩＥＥＥ  Ｓｔｄ．８０２．１６ｅ−２００５、ＩＥＥＥ  Ｓｔａｎｄａｒｄ ｆｏｒ  Ｌｏｃａｌ  ａｎｄ  ｍｅｔｒｏｐｏｌｉｔａｎ  ａｒｅａ  ｎｅｔｗｏｒｋｓ、−Ｐａｒｔ  １６：Ａｉｒ  Ｉｎｔｅｒｆａｃｅ  ｆｏｒ  ｆｉｘｅｄ  ａｎｄ  ｍｏｂｉｌｅ  ｂｒｏａｄｂａｎｄ  ｗｉｒｅｌｅｓｓ  ａｃｃｅｓｓ  ｓｙｓｔｅｍｓ、−Ａｍｅｎｄｍｅｎｔ  ２：Ｐｈｙｓｉｃａｌ  ａｎｄ  Ｍｅｄｉｕｍ  Ａｃｃｅｓｓ  Ｃｏｎｔｒｏｌ  Ｌａｙｅｒｓ  ｆｏｒ  Ｃｏｍｂｉｎｅｄ  Ｆｉｘｅｄ  ａｎｄ  Ｍｏｂｉｌｅ  Ｏｐｅｒａｔｉｏｎ  ｉｎ  Ｌｉｃｅｎｓｅｄ  Ｂａｎｄｓ、および  ＩＥＥＥ  Ｓｔｄ．８０２．１６−２００４/Ｃｏｒｌ−２００５、Ｃｏｒｒｉｇｅｎｄｕｍ  １、Ｄｅｃｅｍｂｅｒ ２００５）は前記の説明を利用するＯＦＤＭベースシステムの一例であり、それゆえ本明細書で充分に説明されたように本出願内に参照として引用される。ＩＥＥＥ８０２．１６ｅシステムで、リソースの割り当てメッセージはＭＡＰメッセージと呼ばれて、リソースの割り当て領域はＭＡＰ−領域と呼ばれる。
【００３９】
提案されたＩＥＥＥ８０２．１６ｅシステム（ＩＥＥＥ Ｐ８０２．１６ｍ/Ｄ１、“Ｐａｒｔ  １６：Ａｉｒ  Ｉｎｔｅｒｆａｃｅ  ｆｏｒ  Ｂｒｏａｄｂａｎｄ  Ｗｉｒｅｌｅｓｓ  Ａｃｃｅｓｓ  Ｓｙｓｔｅｍｓ”、Ｊｕｌｙ  ２００９）は前記の説明を利用するＯＦＤＭのベースシステムの他の一例であり、それゆえ本明細書において充分に説明されたように本出願内に参照として引用される。ＩＥＥＥ８０２．１６ｅシステムには次の特殊事項が適用される。ＣＲＵはＯＦＤＭのシンボルＸ６個のＯＦＤＭのシンボル当たり１８個の物理的に隣接するＳＣで構成されたＳＣ−ＯＦＤＭ−シンボルグリッドで成り立つ。サブ帯域は、ＯＦＤＭのシンボル当たり７２個のＳＣになったグリッドであり、１８個の物理的に隣接するＳＣＸ６個のＯＦＤＭシンボルで構成された４個のセットからなる４個のＣＲＵで構成される。サブ帯域内の７２個のＳＣは物理的に隣接する。その他の數祕學（ｎｕｍｅｒｏｌｏｇｙ）でよって、１０ＭＨｚシステムには最大１０個のＳＢがあって、２０ＭＨｚシステムには最大２１個のＳＢがある。
【００４０】
ＳＢリソースと関連して、ＭＳへのＳＢリソースの割り当てに対する問題（すなわち、以前に説明されたリソースの割り当てメッセージを通じて、ＤＬで特定のＳＢでの送信を受信するかまたはＵＬ上での特定のＳＢでの送信を作ることをＭＳに通知すること）が説明される。
【００４１】
ＳＢはそれの論理的なインデックスによって識別されるので、ＳＢの論理的なインデックスのセットをＭＳに伝達することに対して懸念がされる。ＳＢを利用して帯域幅の中の無線リンクが良好な部分上で送信を作る一般的な利用の場合によって、非隣接の論理的なインデックスを持つＳＢのセットをシグナリングすることができる能力は重要である。
【００４２】
提案されたＩＥＥＥ８０２．１６ｍシステムで、“ダウンリンクサブ帯域配置ＩＥ（Ｄｏｗｎｌｉｎ        ｋ  Ｓｕｂ−ｂａｎｄ  Ａｓｓｉｇｎｍｅｎｔ  ＩＥ）”及び“アップリンクサブ帯域配置ＩＥ（Ｕｐｌｉｎｋ  Ｓｕｂ−ｂａｎｄ  Ａｓｓｉｇｎｍｅｎｔ  ＩＥ）”と呼称される特別なメッセージセットはそれぞれＤＬ及びＵＬサブ帯域リソースの配置を伝達することに定義されている。メッセージの名称で“ＩＥ”は“情報構成要素（Ｉｎｆｏｒｍａｔｉｏｎ  Ｅｌｅｍｅｎｔ）”を意味する。このようなメッセージには“リソースの割り当て”（ＲＡ）フィールドと呼ばれる１１−ビットフィールドが定義されている。ＲＡフィールドは割り当てされたサブ帯域の数及びそれらの論理的なインデックスをＭＳに伝達する。
【００４３】
５、１０及び２０ＭＨｚシステムの場合に、提案されたＩＥＥＥ８０２．１６ｍシステムはＳＢの最大の数をそれぞれ４、１０及び２１で定義する。５及び１０ＭＨｚシステムの場合、ＲＡのビットの数（１１ビット）はいつもＳＢの数（５ＭＨｚシステムの場合には最大４個のサブ帯域及び１０ＭＨｚシステムの場合には１０個のサブ帯域）より大きい。したがって、簡単なビット−マップベース方法が１１−ビットＲＡのフィールドを任意的なサブ帯域セットの割り当てと連関させるように利用されることができる。
【００４４】
しかし、１０ＭＨｚ場合において、ＳＢの数（最大２１個）はＲＡのフィールドの大きさである１１ビットを超過することができる。この時、問題点は単一のＩＥで１１個のＲＡのビットを利用して、割り当てされたＳＢの論理的なインデックスのセットを示すようにするという点である。例えば、ＭＳに対する割り当て{ＳＢ０、ＳＢ５}または割り当て{ＳＢ０、ＳＢ６、ＳＢ７}を作成したいことができる。そのためには、１１個のＲＡのビットと割り当てされたＳＢの数及び論理的なインデックスの間の写像（mapping）を改善する必要がある。この開示事項の主な焦点はＳＢの配置を隣接する論理的なインデックスに写像（例えば、配置{ＳＢ１、ＳＢ２}）させる簡単な方法がある時非重畳インデックスの写像に対するのである。
【００４５】
提案されたＩＥＥＥ８０２．１６ｍシステムが２０ＭＨｚシステムで最大の数のサブ帯域を２１個のサブ帯域に制限するために、システムで総２１個のＳＢがある時（２個または３個のＳＢの割り当ての場合に対して）非隣接サブ帯域の論理的なインデックスの組み合わせの数の簡単な計算が行うことができる。
【００４６】
例えば、２個の非隣接のサブ帯域の論理的なインデックスの組み合わせの数が計算されることができる。（最大可能な２１個から）２個のサブ帯域の論理的なインデックスの組み合わせの数は下記の数式１に図示のように計算される。
【００４７】
【数１】
2013503546.tif 000003
【００４８】
これらから、２０個の組み合わせは非隣接の論理的なインデックスのペア（例えば、組み合わせ{０、１}、{１、２}など）で行われる。したがって、２個のＳＢの非隣接の論理的なインデックスの組み合わせの数は２１０−２０＝１９０である。
【００４９】
例えば、３個の非隣接ＳＢの論理的なインデックスの組み合わせの数が計算されることができる。（最大可能な２１個から）３個のサブ帯域の論理的なインデックスの組み合わせの数は下記の数式２で図示のように計算される。
【００５０】
【数２】
2013503546.tif 000004
【００５１】
これらから、１９個の組み合わせは非隣接の論理的なインデックスのペア（例えば、組み合わせ{０、１、２}、{１、２、３}など）で行われる。したがって、３個のＳＢの非隣接の論理的なインデックスの組み合わせの数は１３３０−１９＝１３１１である。
【００５２】
したがって、２個または３個のＳＢの非隣接の割り当ての組み合わせの数は１９０＋１３１１＝１５０１である。
【００５３】
システムに２１個より少ないサブ帯域がある場合は、２個または３個のＳＢの組み合わせの数はそのような数よりさらに少ない。したがって、上で計算された２個または３個のＳＢの組み合わせの数は１１個のＲＡのビットを用いて伝達する必要があることができる（２個または３個のＳＢの）組み合わせの数に対する上限を示す。
【００５４】
１１個のビットを用いて、総２１１＝２０４８個の組み合わせを伝達することができる。したがって、単一のＩＥで１１個のＲＡのビットを用いて、非隣接の論理的なインデックスを持つ２個または３個のＳＢの１５０１個の割り当ての中で任意のことを伝達することが可能でなければならない。しかし、問題点はリソースの割り当てビットを特定のサブ帯域の割り当てに写像させることに用いられる実際の方法にある。一つの可能な方法は１１ビットＲＡの（２０４８個の中で）１５０１個の値それぞれを（２個または３個のＳＢの１５０１個の可能な割り当てから）特定ＳＢの割り当てに写像させることにルックアップテーブルを用いるのである。
【００５５】
ルックアップテーブルを用いてＲＡのフィールドの特定の値からＳＢインデックスの特定のセットへの写像を行うことでの問題点はそれがＢＳ及びＭＳで大きいテーブルの保存を要するというのである。例えば、２個または３個のＳＢの表示は内部に１５０１個のエントリーを持つテーブルを要求する。また、このようなテーブルはＢＳ及びＭＳで拡張検索の動作を引き出して、システムの複雑度を加えるのである。例えば、ＢＳが配置{ＳＢ０、ＳＢ３、ＳＢ７}を作成したい場合は、そのＢＳはルックアップテーブルがどのような体系的な検索方法も提供しないからその割り当てに写像させるＲＡの値を検索するようにそのエントリーを検索しなければならない。同様に、１１個のＲＡのビットを受信するとすぐ、ＭＳはテーブルを検索してその配置を捜さなければならない。
【００５６】
この開示事項はＳＢリソースの割り当てをＭＳに效率的に伝達するためのシステム及び方法を提供する。開示されたシステム及び方法は構造がリソースの割り当てのビットに導入され、割り当ての簡単な解釈を可能にするという面で体系的である。したがって、ルックアップテーブルソリューションの一部として無差別検索（ｂｒｕｔｅ−ｆｏｒｃｅ  ｓｅａｒｃｈ）に再分類する必要はない。
【００５７】
この開示事項の実施例で、ＳＢの物理的なインデックスへの論理的なインデックスの写像はすべてのＢＳ及びＭＳに知られると推定される。
【００５８】
図４はこの開示事項の実施例によってサブ帯域の論理的なインデックスをサブ帯域のペアにグループ化することを例示している。
【００５９】
この開示事項は“サブ帯域のペア”へのＳＢの論理的なインデックスグループ化を提供する。“サブ帯域のペア”（ＳＢＰ）は隣接するインデックスを持つサブ帯域のペアを含んでいる。特定の実施例で、サブ帯域のペア及び対応するサブ帯域のインデックスは次のように関連する：ＳＢＰ[ｊ]←→{ＳＢ[２ｊ]、ＳＢ[２ｊ＋１]}。ＳＢ[２ｊ＋１]が有效なインデックスではない場合、ＳＢＰ[ｊ]はＳＢ[２ｊ]のみを含み、すなわち、ＳＢＰ[ｊ]←→{ＳＢ[２ｊ]}となる。例えば、図４の図示のように、最大２１個のサブ帯域４０１が存在する２０ＭＨｚシステムで、対応する１１個のサブ帯域のペア４０３はＳＢＰ[０]←→{ＳＢ[０]、ＳＢ[１]}、ＳＢＰ[１]←→{ＳＢ[２]、ＳＢ[３]}、…、ＳＢＰ[９]←→{ＳＢ[１８]、ＳＢ[１９]}、同時にＳＢＰ[１０]←→{ＳＢ[２０]}にインデキシングされる。このようなサブ帯域インデックスのグループ化の方法は次の実施例の図示のような体系的な方法で２個または３個の割り当てされたサブ帯域のインデックスの表示を許容する。
【００６０】
図５は本開示事項の実施例によるリソースの割り当て（ＲＡ）フィールドを例示している。
【００６１】
図５の図示のように、リソースの割り当て（ＲＡ）フィールド５０１の１１個のビットは“リソースのインデキシングフィールド（ＲＦＩ）”５０３及び“表示タイプフィールド（ＩＴＦ）”５０５と呼ばれる２個の部分に分割される。ＲＡフィールド５０１と割り当てされたサブ帯域インデックスの間の写像はＲＩＦ５０３及びＩＴＦ５０５によって提供される。特定の実施例で、ＲＩＦ５０３は割り当てされたサブ帯域のペアを示して、その一方でＩＴＦ５０５は割り当てされているサブ帯域のペア内の特定のサブ帯域をさらに示す。図５に図示された例で、ＲＩＦ５０３はＲＡフィールド５０１の最初の７個の最上位ビット（ｍｏｓｔ  ｓｉｇｎｉｆｉｃａｎｔ  ｂｉｔｓ：ＭＳＢ）で構成されて、その一方でＩＴＦはＲＡフィールド５０１の最後の４個の最下位ビット（ｌｅａｓｔ  ｓｉｇｎｉｆｉｃａｎｔ  ｂｉｔｓ：ＬＳＢ）で構成される。
【００６２】
この例ではＲＩＦ５０３がＲＡフィールド５０１の７個のＭＳＢを用いて識別されて、ＩＴＦが４個のＬＳＢを用いて識別されるが、当業者はＲＩＦビットとＲＡビットの間の他の識別/写像及びＩＴＦビットに対して同様の識別/写像がこの開示事項のカテゴリー及び思想内にあることを認める。例えば、ＲＩＦとしてＲＡフィールドの７個のＬＳＢ及びＩＴＦとしてＲＡフィールドの４個のＭＳＢを識別することができる。
【００６３】
一実施例で、ＩＴＦの００００ないし００１１の値は２個のサブ帯域の配置を示す。特定の実施例で、配置されたサブ帯域はそれぞれＳＢＰ[ｕ]及びＳＢＰ[ｖ]に属するＳＢ[ｘ]及びＳＢ[ｙ]と表記して、ＳＢ[ｘ]←→ＳＢＰ[ｕ]及びＳＢ[ｙ]←→ＳＢＰ[ｖ]と表記して、ＩＴＦの値００００ないし００１１の値は次のように解釈される。
【００６４】
１．ＩＴＦ＝００００→両側のＳＢ[ｘ]及びＳＢ[ｙ]すべてはそれぞれＳＢＰ[ｕ]及びＳＢＰ[ｖ]内の下位ＳＢインデックスである。
【００６５】
２．ＩＴＦ＝０００１→両側のＳＢ[ｘ]及びＳＢ[ｙ]すべてはそれぞれＳＢＰ[ｕ]及びＳＢＰ[ｖ]内の上位ＳＢインデックスである。
【００６６】
３．ＩＴＦ＝００１０→ＳＢ[ｘ]はＳＢＰ[ｕ]内の下位ＳＢインデックスであり、ＳＢ[ｙ]はＳＢＰ[ｖ]内の上位ＳＢである。
【００６７】
４．ＩＴＦ＝００１１→ＳＢ[ｘ]はＳＢＰ[ｕ]内の上位ＳＢインデックスであり、ＳＢ[ｙ]はＳＢＰ[ｖ]内の下位ＳＢである。
【００６８】
それでは、ＲＩＦは割り当てされたＳＢＰを判定するように解釈される。これによって、割り当てされたＳＢＰの知識はＩＴＦによって示されるＳＢＰ内の割り当てされたサブ帯域に関する情報とともにこの場合に対する割り当ての細目を完成する。
【００６９】
図６はこの開示事項の実施例によって７ビットのリソースのインデキシングフィールド（ＲＩＦ）のデシマルの値を２個のサブ帯域のペアに変換するためのテーブル６００を例示している。
【００７０】
一部の実施例で、ＲＩＦの７ビットは割り当てされた２個のサブ帯域のペアＳＢＰ[ｕ]＆ＳＰＢ[ｖ]を示すようにテーブルを用いて解釈される。
【００７１】
テーブル６００は７ビットＲＩＦのデシマルの値が左側から右側に及び上側から下側に増加する特定の実施例を示す（テーブルの各行で最初の値及び最後の値が図示される）。陰影の値は解釈に利用されない。テーブルでそれぞれの特定のセルはＲＩＦの特定のデシマルの値に対応し、割り当てされたＳＢＰのＳＢＰ[ｕ]及びＳＢＰ[ｖ]の値を示す。
【００７２】
例えば、ＲＡ＝００００１０１０００１（すなわち、ＲＩＦ＝００００１０１＝デシマルの値５、及びＩＴＦ＝０００１）を考慮する。ＩＴＦは２サブ帯域の割り当てを示す。２個の割り当てされたサブ帯域はＳＢ[ｘ]及びＳＢ[ｙ]で表記して、ＳＢ[ｘ]←→ＳＢＰ[ｕ]およびＳＢ[ｙ]←→ＳＢＰ[ｖ]とする。テーブル６００から、ＲＩＦ＝５は割り当てＳＢＰ[ｕ]＝ＳＢＰ[０]＝{ＳＢ[０]、ＳＢ[１]}、およびＳＢＰ[ｖ]＝ＳＢＰ[６]＝{ＳＢ[１２]、ＳＢ[１３]}に対応する。ＩＴＦ＝０００１は両側のＳＢＰ[ｕ]及びＳＢＰ[ｖ]両方で上位ＳＢインデックスが表示されているということを暗示する。したがって、割り当てはＳＢ[ｘ]＝ＳＢ[１]及びＳＢ[ｙ]＝ＳＢ[１３]である。
【００７３】
他の実施例で、ＲＩＦのデシマルの値は、下記の数式３に示すように、ＳＢＰのペア{ＳＢＰ[ｕ]、ＳＢＰ[ｖ]}に対応する。
【００７４】
【数３】
2013503546.tif 000005
【００７５】
この時、整数ｎ及びｋに対して、拡張された２項係数は下記のように定義される。
【００７６】
【数４】
2013503546.tif 000006
【００７７】
この時、よく知られた２項係数は下記のように与えられる。
【００７８】
【数５】
2013503546.tif 000007
【００７９】
ＲＩＦとＳＢＰのインデックス‘ｕ'、‘ｖ'である{ＳＢＰ[ｕ]、ＳＢＰ[ｖ]}との写像に対する前記の公式は固有した写像を持って来る。言い換えれば、任意のＳＢＰのインデックスのペア{ｕ、ｖ}に対して、これらから数式３を利用して計算されてＲＩＦ（ｕ、ｖ）と表記するＲＩＦは、ｕ≠ｕ１またはｖ≠ｖ１の場合、異なるＳＢＰのインデックスのペア{ｕ１、ｖ１}から計算されたＲＩＦ（ｕ１、ｖ１）とは異なるのである。
【００８０】
数式３はＳＢＰのインデックス‘ｕ'、‘ｖ'をＲＩＦの値ＲＩＦ（ｕ、ｖ）に写像する。逆−インデキシング、すなわちＲＩＦの値を生成した固有のインデックス{ｕ、ｖ}へのＲＩＦの値の写像は与えられた数式３で当業者によって行うことができる。
【００８１】
図７はこの開示事項の実施例によってリソースのインデキシングフィールド（ＲＩＦ）のデシマルの値を２個のサブ帯域のペアに変換するための拡張された２項公式によって生成されたテーブル７００を例示している。
【００８２】
数式３によって生成される２個のＳＢＰ{ＳＢＰ[ｕ]、ＳＢＰ[ｖ]}へのＲＩＦの値の写像はまた図７のテーブル７００に図示されたテーブルの形態に図示されることができる。テーブル６００のように、陰影のセルは解釈をすることに利用されない。
【００８３】
図８はこの開示事項の実施例によって７−ビットのリソースのインデキシングフィールド（ＲＩＦ）のデシマルの値を３個のサブ帯域のペアに変換するためのテーブル８００を例示している。
【００８４】
配置されたサブ帯域はそれぞれＳＢＰ[ｕ]、ＳＢＰ[ｖ]及びＳＢＰ[ｗ]に属するＳＢ[ｘ]、ＳＢ[ｙ]及びＳＢ[ｚ]と表記される。これはＳＢ[ｘ]←→ＳＢＰ[ｕ]、ＳＢ[ｙ]←→ＳＢＰ[ｖ]、およびＳＢ[ｚ]←→ＳＢＰ[ｗ]と表記される。
【００８５】
この実施例で、３個の配置されたサブ帯域の中で２個のサブ帯域は同じＳＢＰに属する。記号学的には、ＳＢ[ｘ]及びＳＢ[ｙ]は同じＳＢＰ（すなわち、ＳＢＰ[ｕ]＝ＳＢＰ[ｖ]、またはｕ＝ｖ）に属する。
【００８６】
特定の例で、ＩＴＦの値０１００及び０１０１はこのような場合を示して、次のように解釈される。
【００８７】
１．ＩＴＦ＝０１００→ＳＢ[ｚ]はＳＢＰ[ｗ]で下位のＳＢインデックスである。
【００８８】
２．ＩＴＦ＝０１０１→ＳＢ[ｚ]はＳＢＰ[ｗ]で上位のＳＢインデックスである。
【００８９】
ＲＩＦの７個のビットは割り当てされた３個のサブ帯域のペアＳＢＰ[ｕ]、ＳＰＢ[ｖ]、ＳＢＰ[ｗ]を示すテーブル８００を利用して解釈される。ＳＢＰ[ｕ]＝ＳＢＰ[ｖ]、すなわちｕ＝ｖであるため、テーブルはひたすらＳＢＰ[ｕ]及びＳＢＰ[ｗ]のみを示す。
【００９０】
テーブル８００で、ＲＩＦの７個ビットのデシマルの値は左側から右側に及び上側から下側に増加する（テーブルの各行で最初及び最後の値が図示される）。陰影セルは解釈をすることに利用されない。テーブル内のそれぞれの特定のセルはＲＩＦの特定のデシマルの値に対応し、割り当てされたＳＢＰ  ＳＢＰ[ｕ]（＝ＳＢＰ[ｖ]）及びＳＢＰ[ｗ]の値を示す。
【００９１】
テーブル８００を利用して割り当てされたＳＢＰの知識はＩＴＦによって示されたＳＢＰ内の割り当てされたサブ帯域に関する情報とともにこの特定の実施例に対する割り当ての細目を完成する。
【００９２】
例えば、ＲＡフィールド＝００００１１１０１００（すなわち、ＲＩＦのデシマルの値が７（＝００００１１１）で、ＩＴＦ＝０１００）あれば、テーブル８００から、ＲＩＦは３個のサブ帯域のペアＳＢＰ[ｕ]＝ＳＢＰ[ｖ]＝０及びＳＢＰ[ｗ]＝８に写像させる。ＳＢＰ[０]←→{ＳＢ[０]、ＳＢ[１]}で、一方でＳＢＰ[８]←→{ＳＢ[１６]、ＳＢ[１７]}である。ＩＴＦはＳＢＰ[８]内の下位ＳＢインデックスが割り当てされていることを示す。したがって、割り当ては{ＳＢ[０]、ＳＢ[１]、ＳＢ[１６]}である。
【００９３】
他の実施例で、ＲＩＦのデシマルの値は下記の数式４の図示のように３行（ｔｒｉｐｌｅｔ）のＳＢＰ{ＳＢＰ[ｕ]、ＳＢＰ[ｖ]、ＳＢＰ[ｗ]}に対応するが、ｕ＝ｖである。
【００９４】
【数６】
2013503546.tif 000008
【００９５】
この時、下記のように表示された２個の整数ｎ及びｋに対する拡張された２項係数は以前に説明された。
【００９６】
【数７】
2013503546.tif 000009
【００９７】
図９はこの開示事項の実施例によってリソースのインデキシングフィールド（ＲＩＦ）のデシマルの値を３個のサブ帯域のペアに変換するための拡張された２項公式によって生成されたテーブル９００を例示している。
【００９８】
ｕ＝ｖで数式４から生成される３個のＳＢＰ{ＳＢＰ[ｕ]、ＳＢＰ[ｖ]、ＳＢＰ[ｗ]}でのＲＩＦの値の写像はまた図９のテーブル９００に図示のようなテーブル形態に図示されることができる。テーブル６００のように、陰影セルは解釈をすることに利用されない。テーブル９００を利用して割り当てされたＳＢＰの知識は図８と関連して以前に説明されたところのようにＩＴＦによって示された３個のＳＢＰ内の割り当てされたサブ帯域に関する情報とともにこの特定の実施例に対する割り当ての細目を完成する。
【００９９】
図１０はこの開示事項の実施例によって４−ビット表示タイプフィールド（ＩＴＦ）のデシマルの値を３個のサブ帯域のペア内の３個のサブ帯域に変換したテーブル１０００を例示している。
【０１００】
配置されたサブ帯域はそれぞれサブ帯域のペアＳＢＰ[ｕ]、ＳＢＰ[ｖ]及びＳＢＰ[ｗ]に属するＳＢ[ｘ]、ＳＢ[ｙ]及びＳＢ[ｚ]で表記する。これはＳＢ[ｘ]←→ＳＢＰ[ｕ]、ＳＢ[ｙ]←→ＳＢＰ[ｖ]及びＳＢ[ｚ]←→ＳＢＰ[ｗ]として表記される。テーブル１０００はそれぞれｕ、ｖ及びｗ内の位置（上位インデックス/下位インデックス）ｘ、ｙ及びｚへの４−ビットＩＴＦの値の変換を例示している。
【０１０１】
図１１及び図１２はこの開示事項の実施例によって７−ビットのリソースのインデキシングフィールド（ＲＩＦ）のデシマルの値を３個のサブ帯域のペアに変換したテーブル１１００を例示している。
【０１０２】
この実施例は異なるサブ帯域のペアにあるがＳＢＰ[１０]を含まない３個のサブ帯域の割り当てを提供する。配置されたサブ帯域はそれぞれサブ帯域のペアＳＢＰ[ｕ]、ＳＢＰ[ｖ]及びＳＢＰ[ｗ]に属するＳＢ[ｘ]、ＳＢ[ｙ]及びＳＢ[ｚ]で表記して、ＳＢ[ｘ]←→ＳＢＰ[ｕ]、ＳＢ[ｙ]←→ＳＢＰ[ｖ]及びＳＢ[ｚ]←→ＳＢＰ[ｗ]で表記し、ｕ≠ｖ≠ｗ≠１０である。
【０１０３】
図１０は特定の例で、８個のＩＴＦの値を０１００から１１０１で示すのに利用されたテーブル１０００を図示している。８個のＩＴＦの値は３個の示されたサブ帯域のペアＳＢＰ[ｕ]、ＳＢＰ[ｖ]及びＳＢＰ[ｗ]内の示された３個のサブ帯域ＳＢ[ｘ]、ＳＢ[ｙ]及びＳＢ[ｚ]のすべての可能な構成の表現を許容する。
【０１０４】
図１１及び図１２は特定の例でＲＩＦの７ビットを解釈して割り当てされた３個のサブ帯域のペアＳＢＰ[ｕ]、ＳＰＢ[ｖ]、ＳＢＰ[ｗ]を示すようにすることに利用されたテーブル１１００を図示している。
【０１０５】
テーブル１１００で、ＲＩＦの７ビットのデシマルの値は左側から右側に及び上側から下側に増加する（テーブルの各行で最初及び最後の値が図示される）。陰影の値は解釈をすることに利用されない。テーブル内のそれぞれの特定のセルはＲＩＦの特定のデシマルの値に対応し、割り当てされたＳＢＰ  ＳＢＰ[ｕ]、ＳＢＰ[ｖ]及びＳＢＰ[ｗ]の値を示す。
【０１０６】
テーブル１１００から割り当てされたＳＢＰの知識はテーブル１０００からＩＴＦによって示されたところのようなＳＢＰ内の割り当てされたサブ帯域に関する情報とともにこのサブケースに対する割り当ての細目を完成する。
【０１０７】
例えば、ＲＡフィールド＝００００１０００１１０（すなわち、ＲＩＦのデシマルの値が４（＝００００１００）で、ＩＴＦ＝０１１０）であれば、テーブル１１００からＲＩＦは３個のサブ帯域のペアＳＢＰ[ｕ]＝０、ＳＢＰ[ｖ]＝１及びＳＢＰ[ｗ]＝６に写像する。ＳＢＰ[０]←→{ＳＢ[０]、ＳＢ[１]}、ＳＢＰ[１]←→{ＳＢ[２]、ＳＢ[３]}およびＳＢＰ[６]←→{ＳＢ[１２]、ＳＢ[１３]}である。テーブル１０００から、ＩＴＦ＝０１１０は割り当てされたサブ帯域がＳＰＢ[ｕ]、ＳＰＢ[ｖ]及びＳＰＢ[ｗ]内の上位インデックスを持つものであることを暗示する。したがって、割り当てはＳＢ[１]、ＳＢ[３]、ＳＢ[１３]}である。
【０１０８】
他の実施例で、ＲＩＦのデシマルの値は３行のＳＢＰ{ＳＢＰ[ｕ]、ＳＢＰ[ｖ]、ＳＢＰ[ｗ]}に対応するが、ｕ≠ｖ≠ｗで、下記の数式５の図示のようにｕ、ｖまたはｗの中でいずれも１０と同じではない。
【０１０９】
【数８】
2013503546.tif 000010
【０１１０】
この時、下記のように表示された２個の整数ｎ及びｋに対する拡張された２項係数は以前に説明された。
【０１１１】
【数９】
2013503546.tif 000011
【０１１２】
図１３及び図１４はこの開示事項の他の実施例によってリソースのインデキシングフィールド（ＲＩＦ）のデシマルの値を３個のサブ帯域のペアに変換するための拡張された２項公式によって生成されたテーブル１２００を例示している。
【０１１３】
数式４から生成される、ｕ≠ｖ≠ｗ≠１０の３個のＳＢＰ{ＳＢＰ[ｕ]、ＳＢＰ[ｖ]、ＳＢＰ[ｗ]}へのＲＩＦの値の写像はまた図１３及び図１４のテーブル１２００の図示のようなテーブル形態に図示されることができる。テーブル６００のように、陰影領域はテーブル１２００から割り当てされたＳＢＰの知識及びテーブル１０００からＩＴＦによって示されたところのようにＳＢＰ内の割り当てされたサブ帯域に関する情報とともにこの特定の実施例に対する割り当ての細目を完成する。
【０１１４】
図１５はこの開示事項の追加実施例によって７−ビットのリソースのインデキシングフィールド（ＲＩＦ）のデシマルの値を３個のサブ帯域のペアに変換したテーブル１３００を例示している。
【０１１５】
この実施例は異なるサブ帯域のペアにあり、ＳＢＰ[１０]を含んでいる３個のサブ帯域のペアの割り当てを提供する。配置されたサブ帯域はそれぞれのサブ帯域のペアＳＢＰ[ｕ]、ＳＢＰ[ｖ]及びＳＢＰ[ｗ]（ｕ≠ｖ≠ｗ、ｗ＝１０）に属するＳＢ[ｘ]、ＳＢ[ｙ]及びＳＢ[ｚ]で表記される。したがって、この実施例で、配置されたサブ帯域中の一つのＳＢ[ｚ]はＳＢ[２０]と同等である。
【０１１６】
特定の実施例で、２個のＩＴＦの値１１１０及び１１１１は割り当てされたサブ帯域の中で一つがＳＢ[２０]と同等であることを示すために利用され、このようなＩＴＦの値は次のように解釈される。
【０１１７】
１．ＩＴＦ＝１１１０→ＳＢ[ｘ]及びＳＢ[ｙ]は両側ＳＢＰ[ｕ]及びＳＢＰ[ｖ]内の上位ＳＢインデックスまたは両側ＳＢＰ[ｕ]及びＳＢＰ[ｖ]内の下位インデックスである。
【０１１８】
２．ＩＴＦ＝１１１１→いずれかのＳＢ[ｘ]がＳＢＰ[ｕ]内の上位ＳＢインデックスで、ＳＢ[ｙ]がＳＢＰ[ｖ]の下位ＳＢインデックスか、またはＳＢ[ｘ]がＳＢＰ[ｕ]内の下位ＳＢインデックスで、ＳＢ[ｙ]がＳＢＰ[ｖ]内の上位ＳＢインデックスである。
【０１１９】
ＲＩＦのＭＳＢはＳＢ[ｘ]及びＳＢ[ｙ]に関する追加表示を次のように提供する。
【０１２０】
１．ＲＩＦ＝０のＭＳＢ→ＳＢ[ｘ]がＳＢＰ[ｕ]内の上位ＳＢインデックスである。
【０１２１】
２．ＲＩＦ＝１のＭＳＢ＝１→ＳＢ[ｘ]がＳＢＰ[ｕ]内の下位ＳＢインデックスである。
【０１２２】
一緒に選択されたＩＴＦの値及びＲＩＦのＭＳＢビットはそれぞれＳＢＰ[ｕ]及びＳＢＰ[ｖ]内のＳＢ[ｘ]及びＳＢ[ｙ]に関する位置情報を完成する。
【０１２３】
ＲＩＦの６ＬＳＢはテーブル１３００を解釈して、例えば割り当てされたサブ帯域のペアＳＢＰ[ｕ]及びＳＰＢ[ｖ]を示す。
【０１２４】
テーブル１３００で、ＲＩＦの６個のＬＳＢビットのデシマルの値は左側から右側に及び上側から下側に増加する（テーブルの各行内の最初及び最後の値が図示される）。陰影の値は解釈をすることに利用されない。テーブル内のそれぞれの特定のセルはＲＩＦの特定のデシマルの値に対応し、割り当てされたＳＢＰ  ＳＢＰ[ｕ]及びＳＢＰ[ｖ]の値を示す。
【０１２５】
テーブル１３００から割り当てされたＳＢＰの知識はＩＴＦ及びＲＩＦのＭＳＢによって示されたところのようにＳＢＰ内の割り当てされたサブ帯域に関する情報とともにこの実施例に対する割り当ての細目を完成する。
【０１２６】
例えば、ＲＡフィールド００００１０１１１１０（すなわち、ＲＩＦ＝００００１０１及びＩＴＦ＝１１１０）の場合、ＲＩＦの６ＬＳＢはテーブル１３００からＳＢＰ[ｕ]＝０、ＳＢＰ[ｖ]＝６に写像される０００１０１（デシマルの値５）である。したがって、割り当てされたサブ帯域はＳＢＰ[０]＝{ＳＢ[０]、ＳＢ[１]}、ＳＢＰ[６]＝{ＳＢ[１２]、ＳＢ[１３]}及びＳＢＰ[１０]＝{ＳＢ[２０]}にある。ＩＴＦの値及びＲＩＦのＭＳＢは割り当てされたサブ帯域がＳＢＰ[０]及びＳＢＰ[６]内の上位インデックスを持つことを示す。したがって、割り当ては{ＳＢ[１]、ＳＢ[１３]、ＳＢ[２０]}である。
【０１２７】
他の実施例で、7−ビットＲＩＦの６個ＬＳＢビットのデシマルの値は下記の数式６の図示のように、ＳＢＰのペア{ＳＢＰ[ｕ]、ＳＢＰ[ｖ]}に対応する（ｕ≠ｖ、ｕ≠１０、ｖ≠１０）。
【０１２８】
【数１０】
2013503546.tif 000012
【０１２９】
の６ＬＳＢ、ｕ<ｖ
【０１３０】
この時、整数ｎ及びｋに対して、下記のように表記される拡張された２項係数は以前に説明された。
【０１３１】
【数１１】
2013503546.tif 000013
【０１３２】
図１６はこの開示事項の追加実施例によってリソースのインデキシングフィールド（ＲＩＦ）のデシマルの値を３個のサブ帯域のペアに変換するための拡張された２項式によって生成されたテーブル１４００を例示している。
【０１３３】
数式６から生成される、ＲＩＦの値と２個のＳＢＰ{ＳＢＰ[ｕ]、ＳＢＰ[ｖ]}（ｕ≠ｖ、ｕ≠１０、ｖ≠１０）の写像は、また図１６のテーブル１４００の図示のようなテーブル形態に図示されることができる。テーブル６００のように、陰影セルは解釈をすることに利用されない。テーブル１４００から割り当てされたＳＢＰの知識は、図１５を参照して説明されたところのように、ＩＴＦ及びＲＩＦのＭＳＢによって示されたＳＢＰ内の割り当てされたサブ帯域に関する情報とともにこの特定の実施例に対する割り当ての細目を完成する。
【０１３４】
図１７は基地局でリソースの割り当てメッセージを送信する方法１５００を例示している。
【０１３５】
図１７の図示のように、方法１５００はリソースの割り当てメッセージのリソースの割り当てフィールドを、第１サブフィールドを含んでいるかまたは第１サブフィールド及び第２サブフィールドを含んでいる第１フィールドと第２フィールドに分割する段階（ブロック１５０１）と、２個以上の論理的なインデックスを第１の値に変換する段階（ブロック１５０３）を含んでいる。２個以上の論理的なインデックスそれぞれはサブ帯域リソースユニットのペアと関連され、サブ帯域リソースユニットのペアは第１サブ帯域リソースユニットを含んでいるかまたは第１サブ帯域リソースユニット及び第２サブ帯域リソースユニットを含んでいる。方法１５００はまたリソースの割り当てフィールドの中で第１フィールドの第１サブフィールド内の第１の値を識別する段階（ブロック１５０５）と、第１フィールドの第１サブフィールド内の第１の値によって示されるそれぞれのサブ帯域リソースユニットのペアに対する第１サブ帯域リソースユニットまたは第２サブ帯域リソースユニットを示す第２の値または第２の値及び第３の値を判定する段階（ブロック１５０７）を含んでいる。方法１５００はリソースの割り当てフィールドの中で第１フィールド内の第２の値及び第１フィールドの第２サブフィールド内の第３の値を識別する段階（ブロック１５０９）と、ダウンリンクフレーム内のリソースの割り当てメッセージを送信する段階（ブロック１５１１）がさらに含まれる。
【０１３６】
図１８は加入局でリソースの割り当てメッセージを受信する方法１６００を例示している。
【０１３７】
図１８の図示のように、方法１６００はダウンリンクフレーム内のリソースの割り当てメッセージを受信する段階（ブロック１６０１）を含んでいる。リソースの割り当てメッセージはリソースの割り当てフィールドを含んで、リソースの割り当てフィールドは、第１サブフィールドを含んでいるかまたは第１サブフィールド及び第２サブフィールドを含んでいる第１フィールドを含んでいるが、第１サブフィールドは２個以上の論理的なインデックスを示す第１の値を持って、第２サブフィールドは第３の値を持つ。２個以上の論理的なインデックスそれぞれはサブ帯域リソースユニットのペアと関連し、そのサブ帯域リソースユニットのペアは第１サブ帯域リソースユニットを含んでいるかまたは第１サブ帯域リソースユニット及び第２サブ帯域リソースユニットを含んでいる。リソースの割り当てフィールドはまた独自にまたは第１フィールドの第２サブフィールドの第３の値と組み合わせて第１フィールドによって示されるそれぞれのサブ帯域リソースユニットのペアに対する第１サブ帯域リソースユニットまたは第２サブ帯域リソースユニットを示す第２の値を持つ第２フィールドも含む。方法１６００はまた第１の値を２個以上の論理的なインデックスに変換する段階（ブロック１６０３）を含んでいる。２個以上の論理的なインデックスそれぞれはサブ帯域リソースユニットのペアと関連し、そのサブ帯域リソースユニットのペアは第１サブ帯域リソースユニットを含んでいるかまたは第１サブ帯域リソースユニット及び第２サブ帯域リソースユニットを含んでいる。方法１６００は第１の値の単独または第２の値と第３の値の組み合わせを第１フィールドによって示されるそれぞれのサブ帯域リソースユニットのペアに対する第１サブ帯域リソースユニットまたは第２サブ帯域リソースユニットに変換する段階（ブロック１６０５）をさらに含む。
【０１３８】
この開示事項の開示された実施例では、ルックアップテーブルは、ＲＩＦの値（またはＲＩＦの一部分の値）を特定のＳＰＢに写像させることに利用されて、その逆の場合にも利用される。ＲＩＦまたはＲＩＦの一部分の特定のデシマルの値はテーブルによって示されるＳＢＰのセット（またその逆の場合）に対応している。しかし、当業者なら、開示された実施例のものとは異なる代替のテーブルがこの開示事項のカテゴリーまたは思想から脱しなくても開発及び利用されることができるということを認める。
【０１３９】
開示された実施例で、作用セットへのＩＴＦの値の配置は任意的なことであることができるに留意しなければならないし、当業者なら、任意の値が利用されることができるということを認める。追加実施例はＩＴＦの値及び多様な実施例の間の異なる写像を利用して導出されることができるし、この開示事項はそのようなすべての実施例を暗示的に包括することに理解される。
【０１４０】
例えば、図６のテーブル６００内のそれぞれのエントリーを単純に増加させることで異なるテーブルが作成されることができる。例えば、{ＳＢＰ[０]、ＳＢＰ[１]}の組み合わせに対応するテーブル６００内のエントリーは０である。代替テーブルでは、そのエントリーが１に変更されることができるし、同様に、他の{ＳＢＰ[ｕ]、ＳＢＰ[ｖ]}の組み合わせに対応するエントリーはテーブル６００内の対応するエントリーの単純な増分であることができる。これを一般化させれば、代替テーブルはテーブル６００から次のように導出されることができる。すなわち、代替テーブル内の特定のセットのＳＢＰに対応するエントリーは、その代替テーブル内の各々のエントリーが別個の固有であることを保証しながら、テーブル６００内のエントリーに一部の任意的な変換を実行することでテーブル６００内の等しいセットのＳＢＰに対応するエントリーから導出される。この開示事項はそのようなすべての実施例を暗示的に包括することに理解される。
【０１４１】
代替として、特定のセットのＳＢＰを示すＲＩＦ（またはＲＩＦの一部分）の値はＳＢＰの決定的関数の形態に記録されることができる。例えば、テーブル６００は次のように説明することができる。すなわち、任意のＳＢＰのペア{ＳＢＰ[ｘ]、ＳＢＰ[ｙ]}に対して、対応するＲＩＦの値は関数ｆ_ｆｏｒｗａｒｄ_ｌｏｏｋｕｐ_Ｔａｂｌｅ_６００（ｘ、ｙ）によって与えられる一方、任意のＲＩＦの値のｒに対しては対応するＳＢＰが{ｘ、ｙ}＝ｆ_ｒｅｖｅｒｓｅ_ｌｏｏｋｕｐ_Ｔａｂｌｅ_６００（ｒ）によって与えられる。それでは関数ｆ_ｆｏｒｗａｒｄ_ｌｏｏｋｕｐ_Ｔａｂｌｅ_６００（）及びｆ_ｒｅｖｅｒｓｅ_ｌｏｏｋｕｐ_Ｔａｂｌｅ_６００（）はテーブル６００自体によって特定される。一例として、ｆ_ｆｏｒｗａｒｄ_ｌｏｏｋｕｐ_Ｔａｂｌｅ_６００（０、１）＝０である一方、ｆ_ｒｅｖｅｒｓｅ_ｌｏｏｋｕｐ_Ｔａｂｌｅ_６００（０）＝{０、１}である。この場合に順方向及び逆方向のルックアップをする一部の他の機能を利用することもできる。すなわち、ｆ_ｆｏｒｗａｒｄ_ｌｏｏｋｕｐ（）及びｆ_ｒｅｖｅｒｓｅ_ｌｏｏｋｕｐ（）がｆ_ｆｏｒｗａｒｄ_ｌｏｏｋｕｐ_Ｔａｂｌｅ_６００（）およびｆ_ｒｅｖｅｒｓｅ_ｌｏｏｋｕｐ_Ｔａｂｌｅ_６００（）と異なる場合、ｆ_ｆｏｒｗａｒｄ_ｌｏｏｋｕｐ（ｘ、ｙ）＝ｒ及びｆ_ｒｅｖｅｒｓｅ_ｌｏｏｋｕｐ（ｘ、ｙ）＝ｒである。このような機能的アプローチの利用はＳＢＰをＲＩＦの値に写像させてその反対の場合にも適用される等価のルックアップテーブルに写像されることができるという点に留意しなければならない。この開示事項はＳＢＰとＲＩＦの値の間の写像に対するそのような代替の機能的な説明も同様に包括することに理解される。
【０１４２】
本開示事項が例示的な実施例とともに説明されたが、多様な変更及び修正が当業者に提案されることができる。本開示事項はそのような変更及び修正を添付された特許請求範囲のカテゴリー内にあることで包括するようにしようとする。
【符号の説明】
【０１４３】
１００          無線ネットワーク
１０１−１０３  基地局（ＢＳ）
１１１−１１６  加入局
１３０          インターネット
２０５      チャンネルコーディング及び変調ブロック
２１０      直列−並列ブロック
２１５      大きさＮの高速逆フーリエの変換ブロック
２２０      並列−直列ブロック
２２５      及び周期的な前置符号追加ブロック
２３０      アップコンバーター
２５５      ダウンコンバーター
２６０      周期的な前置符号消去ブロック
２６５      直列−並列（Ｓ−ｔｏ−Ｐ）ブロック
２７０      大きさＮの高速フーリエの変換（ＦＦＴ）ブロック
２７５      並列−直列（Ｐ−ｔｏ−Ｓ）ブロック
２８０      チャンネルデコーディング及び復調ブロック
【図１】
2013503546.tif 000024
【図２】
2013503546.tif 000025
【図３】
2013503546.tif 000026
【図４】
2013503546.tif 000027
【図５】
2013503546.tif 000028
【図６】
2013503546.tif 000029
【図７】
2013503546.tif 000030
【図８】
2013503546.tif 000031
【図９】
2013503546.tif 000032
【図１０】
2013503546.tif 000033
【図１１】
2013503546.tif 000034
【図１２】
2013503546.tif 000035
【図１３】
2013503546.tif 000036
【図１４】
2013503546.tif 000037
【図１５】
2013503546.tif 000038
【図１６】
2013503546.tif 000039
【図１７】
2013503546.tif 000040
【図１８】
2013503546.tif 000041
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
基地局でリソースの割り当てメッセージを送信するための方法において、
端末に少なくとも２個のサブ帯域を割り当てする過程と、第１情報及び第２情報を含んでいる前記リソースの割り当てメッセージを前記端末に送信する過程を含み、
前記第１情報は、割り当てられるサブ帯域を含む少なくとも一つのサブ帯域のペアを指示し、
前記第２情報は、前記割り当てられるサブ帯域の数、及び、前記サブ帯域のペア内で割り当てられるサブ帯域のインデックスの少なくとも一方を指示することを特徴とする方法。
【請求項２】
前記サブ帯域のペアのインデックス及び前記サブ帯域のインデックスは、インデックスｊのサブ帯域のペアがインデックス２ｊのサブ帯域及びインデックス２ｊ＋１のサブ帯域の少なくとも一つを含むように定義されることを特徴とする請求項１に記載の方法。
【請求項３】
前記第１情報は、第１サブ帯域のペアインデックス、第２サブ帯域のペアインデックス、第３サブ帯域のペアのインデックスのうち少なくとも一つに基づいていることを特徴とする請求項１または請求項２に記載の方法。
【請求項４】
前記第２情報は、サブ帯域のペア内でサブ帯域の前記インデックスが上位なのかまたは下位なのかを指示することを特徴とする請求項３に記載の方法。
【請求項５】
前記第１情報は、７ビットの値であることを特徴とする請求項３または請求項４に記載の方法。
【請求項６】
前記第２情報は、割り当てられるサブ帯域の数が２個の場合、‘００００’ないし‘００１１’のうちの一つの４ビットの値であり、割り当てられるサブ帯域の数が３個の場合、‘０１００’ないし‘１１１１’のうちの一つの４ビットの値であることを特徴とする請求項３から請求項５のいずれか一項に記載の方法。
【請求項７】
前記７ビットの値は、
【数１】
2013503546.tif 000042
によって与えられ、
ここで、ｕは前記第１サブ帯域のペアのインデックス、ｖは前記第２サブ帯域のペアのインデックスであり、
ここで、
【数２】
2013503546.tif 000043
及び
【数３】
2013503546.tif 000044
は、ｎ及びｋの２項係数を示すことを特徴とする請求項５または請求項６に記載の方法。
【請求項８】
前記４ビットの値は、
前記第１サブ帯域のペアで割り当てられるサブ帯域のインデックスが下位のサブ帯域インデックスであり、前記第２サブ帯域のペアで割り当てられるサブ帯域のインデックスが下位のサブ帯域インデックスであれば、‘００００’であり、
前記第１サブ帯域のペアで割り当てられるサブ帯域のインデックスが上位のサブ帯域インデックスであり、前記第２サブ帯域のペアで割り当てられるサブ帯域のインデックスが上位のサブ帯域インデックスであれば、‘０００１’であり、
前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスであれば、‘００１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスであれば、‘００１１’であることを特徴とする請求項６または請求項７に記載の方法。
【請求項９】
前記７ビットの値は、
【数４】
2013503546.tif 000045
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数５】
2013503546.tif 000046
及び
【数６】
2013503546.tif 000047
は、ｎ及びｋの２項係数を示すことを特徴とする請求項５または請求項６に記載の方法。
【請求項１０】
前記４ビットの値は、
前記第３サブ帯域のペアで割り当てられるサブ帯域のインデックスが下位のサブ帯域インデックスであれば、‘０１００’であり、
前記第３サブ帯域のペアで割り当てられるサブ帯域のインデックスが上位のサブ帯域インデックスであれば、‘０１０１’であることを特徴とする請求項６または請求項９に記載の方法。
【請求項１１】
前記７ビットの値は、
【数７】
2013503546.tif 000048
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数８】
2013503546.tif 000049
及び
【数９】
2013503546.tif 000050
は、ｎ及びｋの２項係数を示すことを特徴とする請求項５または請求項６に記載の方法。
【請求項１２】
前記４ビットの値は、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘０１１０’であり、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘０１１１’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１０００’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１００１’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘１０１０’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘１０１１’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１１００’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１１０１’であることを特徴とする請求項６または請求項１１に記載の方法。
【請求項１３】
前記７ビットの値のＬＳＢ６ビットは、
【数１０】
2013503546.tif 000051
によって与えられ、
ここで、ｕは前記第１サブ帯域のペアのインデックス、ｖは前記第２サブ帯域のペアのインデックスであり、
ここで、
【数１１】
2013503546.tif 000052
及び
【数１２】
2013503546.tif 000053
は、ｎ及びｋの２項係数を示すことを特徴とする請求項５または請求項６に記載の方法、。
【請求項１４】
前記７ビットの値のＭＳＢ１ビットは、
前記第１サブ帯域のペアで割り当てられるサブ帯域のインデックスが上位のサブ帯域インデックスであれば、‘０’であり、
前記第１サブ帯域のペアで割り当てられるサブ帯域のインデックスが下位のサブ帯域インデックスであれば、‘１’であり、
前記４ビットの値は、
前記第１サブ帯域のペアで割り当てられるサブ帯域のインデックス及び前記第２サブ帯域のペアで割り当てられるサブ帯域のインデックス両方が上位のサブ帯域インデックスの場合、または、すべてが下位のインデックスの場合、‘１１１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスの場合、または、前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスの場合、‘１１１１’であることを特徴とする請求項６または請求項１３に記載の方法。
【請求項１５】
端末でリソースの割り当てメッセージを受信するための方法において、
基地局から第１情報及び第２情報を含んでいる前記リソースの割り当てメッセージを受信する過程と、
前記第１情報及び前記第２情報を前記端末に割り当てられる少なくとも２個のサブ帯域に切り替える過程を含み、
前記第１情報は、割り当てられるサブ帯域を含む少なくとも一つのサブ帯域のペアを指示し、
前記第２情報は前記割り当てられるサブ帯域の数、及び、前記サブ帯域のペア内で割り当てられるサブ帯域のインデックスの少なくとも一方を指示することを特徴とする方法。
【請求項１６】
前記サブ帯域のペアのインデックス及び前記サブ帯域のインデックスは、インデックスｊのサブ帯域のペアがインデックス２ｊのサブ帯域及びインデックス２ｊ＋１のサブ帯域の少なくとも一つを含むように定義されることを特徴とする請求項１５に記載の方法。
【請求項１７】
前記第１情報は、第１サブ帯域のペアのインデックス、第２サブ帯域のペアのインデックス、第３サブ帯域のペアのインデックスのうちの少なくとも一つに基づいていることを特徴とする請求項１５または請求項１６に記載の方法。
【請求項１８】
前記第２情報は、サブ帯域のペア内でサブ帯域のインデックスが上位なのかまたは下位なのかを指示することを特徴とする請求項１７に記載の方法。
【請求項１９】
前記第１情報は、７ビットの値であることを特徴とする請求項１７または請求項１８に記載の方法。
【請求項２０】
前記第２情報は、
割り当てられるサブ帯域の数が２個の場合、‘００００’ないし‘００１１’のうちの一つの４ビットの値であり、
割り当てられるサブ帯域の数が３個の場合、‘０１００’ないし‘１１１１’のうちの一つの４ビットの値であることを特徴とする請求項１７から請求項１９のいずれか一項に記載の方法。
【請求項２１】
前記７ビットの値は、
【数１３】
2013503546.tif 000054
によって与えられ、
ここで、ｕは前記第１サブ帯域のペアのインデックス、ｖは前記第２サブ帯域のペアのインデックスであり、
ここで、
【数１４】
2013503546.tif 000055
及び
【数１５】
2013503546.tif 000056
は、ｎ及びｋの２項係数を示すことを特徴とする請求項１９または請求項２０に記載の方法。
【請求項２２】
前記４ビットの値は、
前記第１サブ帯域のペアで割り当てられるサブ帯域のインデックスが下位のサブ帯域インデックスであり、前記第２サブ帯域のペアで割り当てられるサブ帯域のインデックスが下位のサブ帯域インデックスであれば、‘００００’であり、
前記第１サブ帯域のペアで割り当てられるサブ帯域のインデックスが上位のサブ帯域インデックスであり、前記第２サブ帯域のペアで割り当てられるサブ帯域のインデックスが上位のサブ帯域インデックスであれば、‘０００１’であり、
前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスであれば、‘００１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスであれば、‘００１１’であることを特徴とする請求項２０または請求項２１に記載の方法。
【請求項２３】
前記７ビットの値は、
【数１６】
2013503546.tif 000057
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数１７】
2013503546.tif 000058
及び
【数１８】
2013503546.tif 000059
は、ｎ及びｋの２項係数を示すことを特徴とする請求項１９または請求項２０に記載の方法。
【請求項２４】
前記４ビットの値は、
前記第３サブ帯域のペアで割り当てられるサブ帯域のインデックスが下位のサブ帯域インデックスであれば、‘０１００’であり、
前記第３サブ帯域のペアで割り当てられるサブ帯域のインデックスが上位のサブ帯域インデックスであれば、‘０１０１’であることを特徴とする請求項２０または請求項２３に記載の方法。
【請求項２５】
前記７ビットの値は、
【数１９】
2013503546.tif 000060
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数２０】
2013503546.tif 000061
及び
【数２１】
2013503546.tif 000062
は、ｎ及びｋの２項係数を示すことを特徴とする請求項１９または請求項２０に記載の方法。
【請求項２６】
前記４ビットの値は、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘０１１０’であり、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘０１１１’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１０００’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１００１’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘１０１０’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘１０１１’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１１００’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１１０１’であることを特徴とする請求項２０または請求項２５に記載の方法。
【請求項２７】
前記７ビットの値のＬＳＢ６ビットは、
【数２２】
2013503546.tif 000063
によって与えられ、
ここで、ｕは前記第１サブ帯域のペアのインデックス、ｖは前記第２サブ帯域のペアのインデックスであり、
ここで、
【数２３】
2013503546.tif 000064
及び
【数２４】
2013503546.tif 000065
は、ｎ及びｋの２項係数を示すことを特徴とする請求項１９または請求項２０に記載の方法。
【請求項２８】
前記７ビットの値のＭＳＢ１ビットは、
前記第１サブ帯域のペアで割り当てられるサブ帯域のインデックスが上位のサブ帯域インデックスであれば、‘０’であり、
前記第１サブ帯域のペアで割り当てられるサブ帯域のインデックスが下位のサブ帯域インデックスであれば、‘１’であり、
前記４ビットの値は、
前記第１サブ帯域のペアで割り当てられるサブ帯域のインデックス及び前記第２サブ帯域のペアで割り当てられるサブ帯域のインデックス両方が上位のサブ帯域インデックスの場合、または、すべてが下位のインデックスの場合、‘１１１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスの場合、または、前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスの場合、‘１１１１’であることを特徴とする請求項２０または請求項２７に記載の方法。
【請求項２９】
基地局装置において、
端末に少なくとも２個のサブ帯域を割り当てする制御部と、
第１情報及び第２情報を含んでいるリソースの割り当てメッセージを前記端末に送信する送信部を含み、
前記第１情報は、割り当てられるサブ帯域を含む少なくとも一つのサブ帯域のペアを指示し、
前記第２情報は、前記割り当てられるサブ帯域の数、及び、前記サブ帯域のペア内で割り当てられるサブ帯域のインデックスの少なくとも一方を指示することを特徴とする装置。
【請求項３０】
前記サブ帯域のペアのインデックス及び前記サブ帯域のインデックスは、インデックスｊのサブ帯域のペアがインデックス２ｊのサブ帯域及びインデックス２ｊ＋１のサブ帯域の少なくとも一つを含むように定義されることを特徴とする請求項２９に記載の装置。
【請求項３１】
前記第１情報は、第１サブ帯域のペアのインデックス、第２サブ帯域のペアのインデックス、第３サブ帯域のペアのインデックスのうちの少なくとも一つに基づいていることを特徴とする請求項２９または請求項３０に記載の装置。
【請求項３２】
前記第２情報は、サブ帯域のペア内でサブ帯域のインデックスが上位なのかまたは下位なのかを指示することを特徴とする請求項３１に記載の装置。
【請求項３３】
前記第１情報は、７ビットの値であることを特徴とする請求項３１または請求項３２に記載の装置。
【請求項３４】
前記第２情報は、
割り当てられるサブ帯域の数が２個の場合、‘００００’ないし‘００１１’のうちの一つの４ビットの値であり、
割り当てられるサブ帯域の数が３個の場合、‘０１００’ないし‘１１１１’のうちの一つの４ビットの値であることを特徴とする請求項３１から請求項３３のいずれか一項に記載の装置。
【請求項３５】
前記７ビットの値は、
【数２５】
2013503546.tif 000066
によって与えられ、
ここで、ｕは前記第１サブ帯域のペアのインデックス、ｖは前記第２サブ帯域のペアのインデックスであり、
ここで、
【数２６】
2013503546.tif 000067
及び
【数２７】
2013503546.tif 000068
は、ｎ及びｋの２項係数を示すことを特徴とする請求項３３または請求項３４に記載の装置。
【請求項３６】
前記４ビットの値は、
前記第１サブ帯域のペアで割り当てられるサブ帯域のインデックスが下位のサブ帯域インデックスであり、前記第２サブ帯域のペアで割り当てられるサブ帯域のインデックスが下位のサブ帯域インデックスであれば、‘００００’であり、
前記第１サブ帯域のペアで割り当てられるサブ帯域のインデックスが上位のサブ帯域インデックスであり、前記第２サブ帯域のペアで割り当てられるサブ帯域のインデックスが上位のサブ帯域インデックスであれば、‘０００１’であり、
前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスであれば、‘００１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスであれば、‘００１１’であることを特徴とする請求項３４または請求項３５に記載の装置。
【請求項３７】
前記７ビットの値は、
【数２８】
2013503546.tif 000069
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数２９】
2013503546.tif 000070
及び
【数３０】
2013503546.tif 000071
は、ｎ及びｋの２項係数を示すことを特徴とする請求項３３または請求項３４に記載の装置。
【請求項３８】
前記４ビットの値は、
前記第３サブ帯域のペアで割り当てられるサブ帯域のインデックスが下位のサブ帯域インデックスであれば、‘０１００’であり、
前記第３サブ帯域のペアで割り当てられるサブ帯域のインデックスが上位のサブ帯域インデックスであれば、‘０１０１’であることを特徴とする請求項３４または請求項３７に記載の装置。
【請求項３９】
前記７ビットの値は、
【数３１】
2013503546.tif 000072
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数３２】
2013503546.tif 000073
及び
【数３３】
2013503546.tif 000074
は、ｎ及びｋの２項係数を示すことを特徴とする請求項３３または請求項３４に記載の装置。
【請求項４０】
前記４ビットの値は、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘０１１０’であり、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘０１１１’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１０００’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１００１’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘１０１０’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘１０１１’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１１００’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１１０１’であることを特徴とする請求項３４または請求項３９に記載の装置。
【請求項４１】
前記７ビットの値のＬＳＢ６ビットは、
【数３４】
2013503546.tif 000075
によって与えられ、
ここで、ｕは前記第１サブ帯域のペアのインデックス、ｖは前記第２サブ帯域のペアのインデックスであり、
ここで、
【数３５】
2013503546.tif 000076
及び
【数３６】
2013503546.tif 000077
は、ｎ及びｋの２項係数を示すことを特徴とする請求項３３または請求項３４に記載の装置。
【請求項４２】
前記７ビットの値のＭＳＢ１ビットは、
前記第１サブ帯域のペアで割り当てられるサブ帯域のインデックスが上位のサブ帯域インデックスであれば、‘０’であり、
前記第１サブ帯域のペアで割り当てられるサブ帯域のインデックスが下位のサブ帯域インデックスであれば、‘１’であり、
前記４ビットの値は、
前記第１サブ帯域のペアで割り当てられるサブ帯域のインデックス及び前記第２サブ帯域のペアで割り当てられるサブ帯域のインデックス両方が上位のサブ帯域インデックスの場合、または、すべてが下位のインデックスの場合、‘１１１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスの場合、または、前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスの場合、‘１１１１’であることを特徴とする請求項３４または請求項４１に記載の装置。
【請求項４３】
端末装置において、
基地局から第１情報及び第２情報を含んでいるリソースの割り当てメッセージを受信する受信部と、
前記第１情報及び前記第２情報を前記端末に割り当てられる少なくとも２個のサブ帯域に切り替える制御部を含み、
前記第１情報は、割り当てられるサブ帯域を含む少なくとも一つのサブ帯域のペアを指示し、
前記第２情報は、前記割り当てられるサブ帯域の数、及び、前記サブ帯域のペア内で割り当てられるサブ帯域のインデックスの少なくとも一方を指示することを特徴とする装置。
【請求項４４】
前記サブ帯域のペアのインデックス及び前記サブ帯域のインデックスは、インデックスｊのサブ帯域のペアはインデックス２ｊのサブ帯域及びインデックス２ｊ＋１のサブ帯域の少なくとも一つを含むように定義されることを特徴とする請求項４３に記載の装置。
【請求項４５】
前記第１情報は、第１サブ帯域のペアのインデックス、第２サブ帯域のペアのインデックス、第３サブ帯域のペアのインデックスのうちの少なくとも一つに基づいていることを特徴とする請求項４３または請求項４４に記載の装置。
【請求項４６】
前記第２情報は、サブ帯域のペア内でサブ帯域のインデックスが上位なのかまたは下位なのかを指示することを特徴とする請求項４５に記載の装置。
【請求項４７】
前記第１情報は、７ビットの値であることを特徴とする請求項４５または請求項４６に記載の装置。
【請求項４８】
前記第２情報は、割り当てられるサブ帯域の数が２個の場合、‘００００’ないし‘００１１’のうちの一つの４ビットの値であり、割り当てられるサブ帯域の数が３個の場合、‘０１００’ないし‘１１１１’のうちの一つの４ビットの値であることを特徴とする請求項４５から請求項４７のいずれか一項に記載の装置。
【請求項４９】
前記７ビットの値は、
【数３７】
2013503546.tif 000078
によって与えられ、
ここで、ｕは前記第１サブ帯域のペアのインデックス、ｖは前記第２サブ帯域のペアのインデックスであり、
ここで、
【数３８】
2013503546.tif 000079
及び
【数３９】
2013503546.tif 000080
は、ｎ及びｋの２項係数を示すことを特徴とする請求項４７または請求項４８に記載の装置。
【請求項５０】
前記４ビットの値は、
前記第１サブ帯域のペアで割り当てられるサブ帯域のインデックスが下位のサブ帯域インデックスであり、前記第２サブ帯域のペアで割り当てられるサブ帯域のインデックスが下位のサブ帯域インデックスであれば、‘００００’であり、
前記第１サブ帯域のペアで割り当てられるサブ帯域のインデックスが上位のサブ帯域インデックスであり、前記第２サブ帯域のペアで割り当てられるサブ帯域のインデックスが上位のサブ帯域インデックスであれば、‘０００１’であり、
前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスであれば、‘００１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスであれば、‘００１１’であることを特徴とする請求項４８または請求項４９に記載の装置。
【請求項５１】
前記７ビットの値は、
【数４０】
2013503546.tif 000081
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数４１】
2013503546.tif 000082
及び
【数４２】
2013503546.tif 000083
は、ｎ及びｋの２項係数を示すことを特徴とする請求項４７または請求項４８に記載の装置。
【請求項５２】
前記４ビットの値は、
前記第３サブ帯域のペアで割り当てられるサブ帯域のインデックスが下位のサブ帯域インデックスであれば、‘０１００’であり、
前記第３サブ帯域のペアで割り当てられるサブ帯域のインデックスが上位のサブ帯域インデックスであれば、‘０１０１’であることを特徴とする請求項４８または請求項５１に記載の装置。
【請求項５３】
前記７ビットの値は、
【数４３】
2013503546.tif 000084
によって与えられ、
ここで、ｕは前記第１サブ帯域のペアのインデックス、ｖは前記第２サブ帯域のペアのインデックス、ｗは前記第３サブ帯域のペアのインデックスであり、
ここで、
【数４４】
2013503546.tif 000085
及び
【数４５】
2013503546.tif 000086
は、ｎ及びｋの２項係数を示すことを特徴とする請求項４７または請求項４８に記載の装置。
【請求項５４】
前記４ビットの値は、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘０１１０’であり、
前記第１サブ帯域のペアで割り当てられるサブ帯域のインデックスが上位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘０１１１’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１０００’であり、
前記第１サブ帯域のペアで割り当てられるサブ帯域のインデックスが上位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１００１’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが上位のサブ帯域インデックスであれば、‘１０１０’であり、
前記第１サブ帯域のペアで割り当てられるサブ帯域のインデックスが下位のサブ帯域インデックスであり、第２サブ帯域のペアで割り当てられるサブ帯域のインデックスが上位のサブ帯域インデックスであり、前記第３サブ帯域のペアで割り当てられるサブ帯域のインデックスが下位のサブ帯域インデックスであれば、‘１０１１’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが上位のサブ帯域インデックスであれば、‘１１００’であり、
前記第１サブ帯域のペアで割り当てられるサブ帯域のインデックスが下位のサブ帯域インデックスであり、第２サブ帯域のペアで割り当てられるサブ帯域のインデックスが下位のサブ帯域インデックスであり、前記第３サブ帯域のペアで割り当てられるサブ帯域のインデックスが下位のサブ帯域インデックスであれば、‘１１０１’であることを特徴とする請求項４８または請求項５３に記載の装置。
【請求項５５】
前記７ビットの値のＬＳＢ６ビットは、
【数４６】
2013503546.tif 000087
によって与えられ、
ここで、ｕは前記第１サブ帯域のペアのインデックス、ｖは前記第２サブ帯域のペアのインデックスであり、
ここで、
【数４７】
2013503546.tif 000088
及び
【数４８】
2013503546.tif 000089
は、ｎ及びｋの２項係数を示すことを特徴とする請求項４７または請求項４８に記載の装置。
【請求項５６】
前記７ビットの値のＭＳＢ１ビットは、
前記第１サブ帯域のペアで割り当てられるサブ帯域のインデックスが上位のサブ帯域インデックスであれば、‘０’であり、
前記第１サブ帯域のペアで割り当てられるサブ帯域のインデックスが下位のサブ帯域インデックスであれば、‘１’であり、
前記４ビットの値は、
前記第１サブ帯域のペアで割り当てられるサブ帯域のインデックス及び前記第２サブ帯域のペアで割り当てられるサブ帯域のインデックス両方が上位のサブ帯域インデックスの場合、または、すべてが下位のインデックスの場合、‘１１１０’であり、
前記第１サブ帯域のペアで割り当てられるサブ帯域のインデックスが上位のサブ帯域インデックスであり、前記第２サブ帯域のペアで割り当てられるサブ帯域のインデックスが下位のサブ帯域インデックスの場合、または、前記第１サブ帯域のペアで割り当てられるサブ帯域のインデックスが下位のサブ帯域インデックスであり、前記第２サブ帯域のペアで割り当てられるサブ帯域のインデックスが上位のサブ帯域インデックスの場合、‘１１１１’であることを特徴とする請求項４８または請求項５５に記載の装置。
【国際調査報告】
2013503546.tif 000090
2013503546.tif 000091